(57)【特許請求の範囲】
【請求項１】
基地局から干渉低減要求を受信することと、
アップリンク通信リソースのセットおよび送信パラメータのセットを識別することと、
ユーザ機器（ＵＥ）が前記基地局にもたらす干渉の量を計算することと、
前記ＵＥが前記基地局にもたらす干渉の量が所定のしきい値を超えたと判断すると、前記アップリンク通信リソースのセットを確保することと、
を備える方法。
【請求項２】
前記識別することは、前記干渉低減要求の中で与えられた情報に基づいて前記送信パラメータのセットを識別することを備え、
前記計算することは、前記送信パラメータのセットに基づいて干渉の量を計算することを備える、
請求項１に記載の方法。
【請求項３】
前記干渉低減要求の中で与えられた前記送信パラメータのセットは、前記干渉低減要求の送信のために使用された送信電力レベルを備える、
請求項１に記載の方法。
【請求項４】
前記計算することは、
前記干渉低減要求が受信された電力レベルを測定することと、
前記基地局と関連するパスロスを計算するために、前記測定された電力レベルを、前記干渉低減要求の中で与えられた前記送信電力レベルと比較することと、
前記比較に基づいて、前記基地局にもたらされた干渉の量を計算することと、
を備える請求項３に記載の方法。
【請求項５】
前記受信することは、プリアンブルチャネルを介して前記干渉低減要求を含むプリアンブルメッセージを受信することを備える、
請求項１に記載の方法。
【請求項６】
前記プリアンブルチャネルは、ＬＲＰ（低再利用プリアンブル）チャネル、システム情報ブロック、あるいはマスター情報ブロックである、
請求項５に記載の方法。
【請求項７】
ｅＮＢ（進化型ノードＢ）と関係するデータと、前記ｅＮＢから受信されたリソース利用メッセージを格納するメモリと、
アップリンク通信リソースのセットおよび送信パラメータのセットを識別し、無線通信装置が前記ｅＮＢに被らせている干渉の量を計算し、干渉の前記計算された量がしきい値以上であると判定すると、前記アップリンク通信リソースのセットを取っておくように構成されたプロセッサと、
を備える無線通信装置。
【請求項８】
前記プロセッサは、前記リソース利用メッセージの中で与えられた情報に基づいて前記送信パラメータのセットを識別し、前記送信パラメータのセットに基づいて、前記無線通信装置が前記ｅＮＢに被らせている前記干渉の量を計算するようにさらに構成される、
請求項７に記載の無線通信装置。
【請求項９】
前記送信パラメータのセットは、前記リソース利用メッセージの送信のために前記ｅＮＢによって使用された送信電力レベルを備え、
前記プロセッサは、前記リソース利用メッセージが受信された受信電力レベルを識別し、前記リソース利用メッセージの中で与えられた情報に基づいて前記送信電力レベルを識別し、前記識別された受信電力レベルを、前記リソース利用メッセージ中で指定された送信電力レベルと比較し、前記比較に基づいて、前記ｅＮＢにもたらされた干渉の前記量を計算するようにさらに構成される、
請求項７に記載の無線通信装置。
【請求項１０】
前記プロセッサは、プリアンブルチャネルを介してプリアンブルメッセージの少なくとも一部としてリソース利用メッセージを受信するように構成される、
請求項７に記載の無線通信装置。
【請求項１１】
前記プリアンブルチャネルは、ＬＲＰ（低再利用プリアンブル）チャネル、システム情報ブロック、およびマスター情報ブロックから成るグループから選択されたチャネルである、
請求項１０に記載の無線通信装置。
【請求項１２】
アップリンクリソースのセットを指定する基地局からＦ−ＳＲＵＭ（フォワードリンク特別リソース利用メッセージ）を受信するための手段と、
ユーザ機器（ＵＥ）が前記基地局にもたらす干渉の量を計算するための手段と、
前記計算された干渉がしきい値以上である場合、前記Ｆ−ＳＲＵＭの中の指定された前記アップリンクリソースのセットを確保するための手段と、
を備える装置。
【請求項１３】
前記Ｆ−ＳＲＵＭの中の指定された情報に基づいて送信電力レベルを判定するための手段をさらに備え、
前記計算するための手段は、
前記判定された送信電力レベルを、前記Ｆ−ＳＲＵＭが受信された電力レベルと比較するための手段と、
前記比較に基づいて前記基地局にもたらされた干渉の量を計算するための手段と、
を備える請求項１２に記載の装置。
【請求項１４】
前記Ｆ−ＳＲＵＭは、ＬＲＰ（低再利用プリアンブル）チャネル、システム情報ブロック、およびマスター情報ブロックから成るグループから選択されたチャネルである、
請求項１２に記載の装置。
【請求項１５】
コンピュータに、ノードＢおよび前記ノードＢから受信されたリソース分割メッセージを識別させるためのコードと、
コンピュータに、前記リソース分割メッセージからアップリンクリソースの所望のセットと関係する情報を抽出させるためのコードと、
コンピュータに、ユーザ機器（ＵＥ）が前記ノードＢにもたらす干渉の量を算出させるためのコードと、
前記干渉の算出された量が、干渉のあらかじめ定義された容認できる量以上であると判定すると、コンピュータに、前記リソース分割メッセージの中で指定された前記アップリンクリソースの所望されるセットを取っておくようにさせるためのコードと、
を備えるコンピュータプログラム。
【請求項１６】
コンピュータに、前記リソース分割メッセージから送信電力レベルと関係する情報を抽出させるためのコードをさらに備え、
コンピュータに前記算出させるためのコードは、
コンピュータに、前記抽出された送信電力レベルを、前記リソース分割メッセージが受信された電力レベルと比較させるためのコードと、
コンピュータに、前記比較に基づいて前記ノードＢにもたらされた干渉の量を計算させるためのコードと、
を備える請求項１５に記載のコンピュータプログラム。
【請求項１７】
前記リソース分割メッセージは、ＬＲＰ（低再利用プリアンブル）チャネル、システム情報ブロック、およびマスター情報ブロックから成るグループから選択されたチャネルである、
請求項１５に記載のコンピュータプログラム。
【発明の詳細な説明】
【関連出願】
【０００１】
米国法典第３５編１１９条の下における優先権の主張  
本出願は、参照により全体が本明細書に組み込まれている、２００８年５月２８に出願した、「ＳＹＳＴＥＭ  ＡＮＤ  ＭＥＴＨＯＤ  ＴＯ  ＥＮＡＢＬＥ  ＲＥＳＯＵＲＣＥ  ＰＡＲＴＩＴＩＯＮＩＮＧ  ＩＮ  ＷＩＲＥＬＥＳＳ  ＮＥＴＷＯＲＫＳ」という名称の米国仮出願第６１／０５５，３８４号の利益を主張するものである。
【技術分野】
【０００２】
本開示は、一般に、無線通信に関し、より具体的には、無線通信システムにおけるリソース管理および干渉管理のための技法に関する。
【背景技術】
【０００３】
無線通信システムは、様々な通信サービスを提供するように広く展開されており、例えば、音声サービス、ビデオサービス、パケットデータサービス、ブロードキャストサービス、およびメッセージングサービスが、そのような無線通信システムを介して提供されることが可能である。これらのシステムは、利用可能なシステムリソースを共有することによって複数の端末に関する通信をサポートすることができる多元接続システムであることが可能である。そのような多元接続システムの例には、ＣＤＭＡ（符号分割多元接続）システム、ＴＤＭＡ（時分割多元接続）システム、ＦＤＭＡ（周波数分割多元接続）システム、およびＯＦＤＭＡ（直交周波数分割多元接続）システムが含まれる。
【０００４】
高い転送速度のデータサービスおよびマルチメディアのデータサービスの需要が急速に高まるにつれ、強化されたパフォーマンスを有する効率的で、堅牢な通信システムの実施に向けての取り組みがなされてきた。例えば、近年、ユーザは、固定回線通信を移動通信で置き換えはじめており、高い音声品質、信頼できるサービス、および低価格をますます要求してきた。
【０００５】
現在、実施されている移動体電話ネットワークに加えて、ユーザの自宅に設置されることが可能であり、既存のブロードバンドインターネット接続を使用して移動ユニットに屋内無線カバレッジを提供することができる、新たなクラスの小さい基地局が出現している。そのような個人用小型基地局は、一般に、アクセスポイント基地局、あるいは、ＨＮＢ（ホームノードＢ）またはフェムトセルとして知られている。通常、そのような小型基地局は、ＤＳＬ（ディジタル加入者線）ルータ、ケーブルモデムなどを介してインターネット、ならびに移動体事業者のネットワークに接続される。
【０００６】
無線通信システムは、システム内のそれぞれロケーションに関するカバレッジを提供することができる、一連の無線アクセスポイントを含むように構成されることが可能である。そのようなネットワーク構造は、一般にセルラネットワーク構造と呼ばれ、アクセスポイント、および／またはアクセスポイントがネットワーク内でそれぞれサービスを提供するロケーションは、一般にセルと呼ばれる。
【０００７】
従来の無線ネットワーク実施形態では、基地局のセットが、それらの基地局に対応するそれぞれの地理的エリアに関するネットワークカバレッジを提供するのに利用される。さらに、無線ネットワークにおけるそれぞれの基地局の電力レベルは、それらの基地局が範囲に含むエリアの相対的サイズなどの要因、および／または他のそのような要因に基づいて、基地局ごとに異なる可能性がある。例えば、マクロ基地局は、大きいエリアを範囲に含み、大きい電力クラスを利用するように構成されることが可能であるのに対して、ピコ基地局および／またはフェムト基地局は、より小さいエリアを範囲に含み、より低い電力を利用するように構成されることが可能である。
【０００８】
したがって、移動端末が、異なる電力レベルの２つの基地局の中間に位置しているシナリオにおいて、移動端末は、様々な要因に基づいて、接続すべき基地局を隣接基地局から選択することができる。しかし、移動端末が、比較的低い電力レベルを有する基地局と通信を確立した場合、端末は、より高い電力を有する１つまたは複数の隣接基地局による妨害を受けるようになる可能性がある。同様のシナリオが、アップリンクで生じる可能性があり、遠く離れた基地局に比較的高い電力レベルで通信している移動端末が、移動端末により近い１つまたは複数の基地局のアップリンク通信に妨害を生じる可能性がある。
【０００９】
さらに、前述したような優勢な干渉条件において、移動端末によって所望されるサービング基地局に送信された通常のアクセス要求が、一部の事例において、アップリンク干渉のために、その基地局によって受信されない可能性がある。さらに、その基地局が、この通常のアクセス要求を認識して、この要求に応答した場合、端末は、一部の事例において、ダウンリンク干渉のためにその応答を受信することができない可能性がある。したがって、優勢な干渉条件に関する少なくとも以上の欠点を抑える、無線ネットワークのための向上した初期アクセス技術および／または干渉管理技術を実施することが望ましい。
【発明の概要】
【００１０】
以下に、主張される主題の様々な態様の簡略化された概要を、そのような態様の基本的理解をもたらすために提示する。この概要は、企図されるすべての態様の広範な概観ではなく、重要な要素もしくは不可欠な要素を特定することも、そのような態様の範囲を正確に記述することも意図していない。この概要の唯一の目的は、後段で提示されるより詳細な説明の前置きとして、開示される態様のいくつかの概念を簡略化された形態で提示することである。
【００１１】
或る態様によれば、無線通信システムにおいて機能することが可能な方法が、本明細書で説明される。この方法は、関連する通信システムによって利用される通信チャネルを識別することと、通信リソースの所望されるセットおよび１つまたは複数の送信パラメータと関係する情報を含む干渉低減要求を構築することと、通信チャネルを介して１つまたは複数の端末に干渉低減要求メッセージを送信することと、を備えることが可能である。
【００１２】
本明細書で説明される第２の態様は、通信チャネル、および通信リソースの利用されるべきセットと関係するデータを格納するメモリを備えることが可能である。この無線通信装置は、通信リソースの利用されるべきセットと関係する情報を使用してリソース分割メッセージを構成し、その通信チャネル上でリソース分割メッセージを送信するように構成されたプロセッサをさらに備えることが可能である。
【００１３】
第３の態様は、無線通信システムにおいて機能することが可能な装置に関する。この装置は、装置が妨害を受けるリソースのセットと関係するリソースインデックス情報を識別するための手段と、リソースインデックス情報を指定するＦ−ＳＲＵＭ（順方向リンク特別リソース利用メッセージ）を生成するための手段と、所定の通信チャネルを介してＦ−ＳＲＵＭをブロードキャストするための手段と、を備えることができる。
【００１４】
本明細書で説明される第４の態様は、コンピュータに通信チャネルを識別させるためのコードと、コンピュータに、通信チャネル、妨害が観測されたリソースのセット、送信パラメータのセットを識別させるためのコードと、コンピュータに、識別されたリソースと送信パラメータのセットを指定する干渉低減メッセージを構成させるためのコードと、コンピュータに識別された通信チャネルを介して干渉低減メッセージを送信させるためのコードと、を含むことができるコンピュータプログラム製品に関する。
【００１５】
本明細書で説明される第５の態様は、無線通信システムにおいて使用される方法に関する。この方法は、基地局から干渉低減要求を受信することと、アップリンク通信リソースおよび送信パラメータのセットを識別することと、基地局にもたらされた干渉の量を計算することと、基地局にもたられた干渉の量が所定のしきい値を超えたと判定すると、干渉低減要求の中で与えられたアップリンク通信リソースのセットを確保することと、を備えることが可能である。
【００１６】
本明細書で説明される第６の態様は、ｅＮＢ（進化型ノードＢ）と関係するデータ、およびこのｅＮＢから受信されたリソース利用メッセージを格納するメモリを備えることが可能な無線通信装置に関する。この無線通信装置は、そのアップリンク通信リソースのセットおよび送信パラメータのセットを識別し、無線通信装置がｅＮＢに被らせている干渉の量を計算し、干渉の計算された量がしきい値以上であると判定すると、アップリンク通信リソースのそのセットを取っておくように構成されたプロセッサをさらに含むことが可能である。
【００１７】
第７の態様は、無線通信システムにおいて利用されることが可能な装置に関する。この装置は、アップリンクリソースを指定する基地局からＦ−ＳＲＵＭを受信するための手段と、基地局にもたらされる干渉の量を計算するための手段と、計算された干渉がしきい値以上である場合、Ｆ−ＳＲＵＭの中で指定されたアップリンクリソースのセットを確保するための手段と、を備えることが可能である。
【００１８】
本明細書で説明される第８の態様は、コンピュータに、ノードＢおよびノードＢから受信したリソース分割メッセージを識別させるためのコードと、コンピュータに、リソース分割メッセージからアップリンクの所望されるセットと関係する情報を抽出させるためのコードと、コンピュータに、ノードＢが被る干渉の量を算出させるためのコードと、干渉の算出された量が干渉のあらかじめ定義された容認できる量以上であると判定した場合に、コンピュータに、リソース分割メッセージの中で指定されたアップリンクリソースの所望されるセットを取っておくようにさせるためのコードと、を備えるコンピュータ可読媒体を含むことが可能なコンピュータプログラム製品に関する。
【００１９】
以上、および関連する目的を達するのに、主張される主題の１つまたは複数の態様は、後段で完全に説明され、特許請求の範囲において特に指摘される特徴を備える。以下の説明、および添付の図面は、主張される主題の例示的ないくつかの態様を詳細に説明する。しかし、これらの態様は、主張される主題の原理が使用され得る様々な仕方のいくつかを示すに過ぎない。さらに、開示される態様は、そのようなすべての態様、および均等の態様を含むことを意図している。
【図面の簡単な説明】
【００２０】
【図１】様々な態様による無線通信システム内の制御リソースを調整するためのシステムを示すブロック図。
【図２】本明細書で説明される様々なリソース調整技術が実施されることが可能なそれぞれの妨害シナリオを示す図。
【図３】本明細書で説明される様々なリソース調整技術が実施されることが可能なそれぞれの妨害シナリオを示す図。
【図４】本明細書で説明される様々なリソース調整技術が実施されることが可能なそれぞれの妨害シナリオを示す図。
【図５】様々な態様による、ダウンリンクリソース調整のためにユニキャストメッセージを利用するためのシステムを示すブロック図。
【図６】様々な態様によるインクリメンタルダウンリンクリソース調整を実行するための技術を示す図。
【図７】様々な態様によるリソース調整メッセージングをタイミング制御するための技術を示す図。
【図８】様々な態様による、ダウンリンクリソース調整のためにブロードキャストメッセージを利用するためのシステムを示すブロック図。
【図９】様々な態様によるアップリンクリソース調整を行うためのシステムを示すブロック図。
【図１０】様々な態様によるリソース調整メッセージングをタイミング制御するための技術を示す図。
【図１１】様々な態様による介在するセルを介してネットワークセルに接続するための技術を示す図。
【図１２】無線通信システムにおけるダウンリンクリソース分割のためのユニキャストメッセージングのためのそれぞれの方法を示すフローチャート。
【図１３】無線通信システムにおけるダウンリンクリソース分割のためのユニキャストメッセージングのためのそれぞれの方法を示すフローチャート。
【図１４】無線通信システムにおけるダウンリンクリソース分割のためのユニキャストメッセージングのためのそれぞれの方法を示すフローチャート。
【図１５】無線通信システムにおけるダウンリンクリソース分割のためのブロードキャストメッセージングのためのそれぞれの方法を示すフローチャート。
【図１６】無線通信システムにおけるダウンリンクリソース分割のためのブロードキャストメッセージングのためのそれぞれの方法を示すフローチャート。
【図１７】無線通信システムにおけるアップリンクリソース分割のためのそれぞれの方法を示すフローチャート。
【図１８】無線通信システムにおけるアップリンクリソース分割のためのそれぞれの方法を示すフローチャート。
【図１９】無線通信システムにおけるエンティティの間のリソース調整を円滑にするそれぞれの装置を示すブロック図。
【図２０】無線通信システムにおけるエンティティの間のリソース調整を円滑にするそれぞれの装置を示すブロック図。
【図２１】無線通信システムにおけるエンティティの間のリソース調整を円滑にするそれぞれの装置を示すブロック図。
【図２２】無線通信システムにおけるエンティティの間のリソース調整を円滑にするそれぞれの装置を示すブロック図。
【図２３】無線通信システムにおけるエンティティの間のリソース調整を円滑にするそれぞれの装置を示すブロック図。
【図２４】様々な態様において利用され得る例示的なアクセス手順を示すタイミング図。
【図２５】本明細書で説明される様々な態様による例示的な無線通信システムを示す図。
【図２６】本明細書で説明される様々な態様が機能することが可能である例示的な無線通信システムを示すブロック図。
【図２７】ネットワーク環境内でアクセスポイント基地局の展開を可能にする例示的な通信システムを示す図。
【発明を実施するための形態】
【００２１】
次に、主張される主題の様々な態様を、同様の参照符号がすべての図面で同様の要素を指す図面を参照して説明する。以下の説明では、説明の目的で、１つまたは複数の態様の完全な理解をもたらすために多数の特定の詳細が示される。しかし、そのような態様は、これらの特定の詳細なしに実施されることも可能であることが明白であり得る。その他、既知の構造およびデバイスは、１つまたは複数の態様を説明することを円滑にするためにブロック図形態で示される。
【００２２】
本出願で使用される「コンポーネント」、「モジュール」、「システム」などの用語は、ハードウェアであるか、ハードウェアとソフトウェアの組合せであるファームウェアであるか、ソフトウェアであるか、または実行中のソフトウェアであるかにかかわらず、コンピュータ関連のエンティティを指すことを意図している。例えば、コンポーネントは、プロセッサ上で実行されているプロセス、集積回路、オブジェクト、実行可能ファイル、実行スレッド、プログラム、および／またはコンピュータであることが可能であるが、以上には限定されない。例として、コンピューティングデバイス上で実行されているアプリケーションと、そのコンピューティングデバイスがともに、コンポーネントであり得る。１つまたは複数のコンポーネントは、プロセス内、および／または実行のスレッド内に存在することが可能であり、さらにコンポーネントは、１つのコンピュータ上に局在化されること、および／または２つ以上のコンピュータの間に分散されることが可能である。さらに、これらのコンポーネントは、様々なデータ構造が格納されている様々なコンピュータ可読媒体から実行されることが可能である。これらのコンポーネントは、１つまたは複数のデータパケットを有する信号によるなどして（例えば、１つのコンポーネントからのデータが、信号によって、ローカルシステムにおける別のコンポーネントと、分散システムにおける別のコンポーネントと、さらに／またはインターネットなどのネットワークを介して他のシステムと対話して）、ローカルプロセスおよび／または遠隔プロセスによって通信することができる。
【００２３】
さらに、様々な態様が、無線端末および／または基地局に関連して本明細書で説明される。無線端末は、ユーザに音声接続および／またはデータ接続を提供するデバイスを指すことが可能である。無線端末は、ラップトップコンピュータまたはデスクトップコンピュータなどのコンピューティングデバイスに接続されることが可能であり、あるいはＰＤＡ（携帯情報端末）などの自己完結型のデバイスであることが可能である。無線端末は、システム、加入者ユニット、加入者局、移動局、移動体、遠隔局、アクセスポイント、遠隔端末、アクセス端末、ユーザ端末、ユーザエージェント、ユーザデバイス、またはＵＥ（ユーザ機器）と呼ばれることも可能である。無線端末は、加入者局、無線デバイス、セルラ電話機、ＰＣＳ電話機、コードレス電話機、ＳＩＰ（セッション開始プロトコル）電話機、ＷＩＬＬ（無線ローカルループ）局、ＰＤＡ（携帯情報端末）、無線接続能力を有するハンドヘルドデバイス、または無線モデムに接続された他の処理デバイスであることが可能である。基地局（例えば、アクセスポイントまたはノードＢ）は、無線インターフェースを介して、１つまたは複数のセクタを通って、無線端末と通信するアクセスネットワークにおけるデバイスを指すことが可能である。基地局は、受信された無線インターフェースフレームをＩＰ（インターネットプロトコル）パケットに変換することによって、無線端末と、ＩＰネットワークを含むことが可能なアクセスネットワークのその他の部分との間でルータの役割をすることが可能である。また、基地局は、無線インターフェースに関する属性の管理を調整する。
【００２４】
さらに、本明細書で説明される様々な機能が、ハードウェア、ソフトウェア、ファームウェア、または以上の任意の組合せで実施されることが可能である。ソフトウェアで実施される場合、それらの機能は、１つまたは複数の命令またはコードとしてコンピュータ可読媒体上に格納される、またはコンピュータ可読媒体を介して伝送されることが可能である。コンピュータ可読媒体には、コンピュータ記憶媒体と、１つの場所から別の場所へのコンピュータプログラムの転送を円滑にする任意の媒体を含む通信媒体がともに含まれる。記憶媒体は、コンピュータによってアクセスされることが可能な任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態で所望されるプログラムコードを伝送する、もしくは格納するのに使用されることが可能であり、コンピュータによってアクセスされることが可能な他の任意の媒体を備えることが可能である。また、任意の接続が、コンピュータ可読媒体と適切に呼ばれる。例えば、ソフトウェアが、同軸ケーブル、光ファイバケーブル、より対線、ＤＳＬ（ディジタル加入者線）、あるいは赤外線、電波、およびマイクロ波などの無線技術を使用して、ウェブサイト、サーバ、または他の遠隔ソースから伝送される場合、その同軸ケーブル、光ファイバケーブル、より対線、ＤＳＬ、あるいは赤外線、電波、およびマイクロ波などの無線技術が、媒体の定義に含められる。本明細書で使用されるディスク（disk）およびディスク（disc）には、ＣＤ（コンパクトディスク（disc））、レーザディスク（disc）、光ディスク（disc）、ＤＶＤ（ディジタルバーサタイルディスク（disc））、フロッピー（登録商標）ディスク（disk）、およびＢＤ（ブルーレイディスク（disc））が含まれ、ただし、ディスク（disk）は、通常、データを磁気的に再現し、ディスク（disc）は、レーザを使用してデータを光学的に再現する。また、以上の媒体の組合せも、コンピュータ可読媒体の範囲内に含められなければならない。
【００２５】
本明細書で説明される様々な技術は、ＣＤＭＡ（符号分割多元接続）システム、ＴＤＭＡ（時分割多元接続）システム、ＦＤＭＡ（周波数分割多元接続）システム、ＯＦＤＭＡ（直交周波数分割多元接続）システム、ＳＣ−ＦＤＭＡ（シングルキャリアＦＤＭＡ）システム、および他のそのようなシステムなどの様々な無線通信システムに関して使用されることが可能である。「システム」という用語と「ネットワーク」という用語は、しばしば、互換的に使用される。ＣＤＭＡシステムは、ＵＴＲＡ（Universal  Terrestrial  Radio  Access）、ＣＤＭＡ２０００などの無線技術を実施することが可能である。ＵＴＲＡは、Ｗ−ＣＤＭＡ（広帯域ＣＤＭＡ）、およびＣＤＭＡの他の変種を含む。さらに、ＣＤＭＡ２０００は、ＩＳ−２０００標準、ＩＳ−９５標準、およびＩＳ−８５６標準を範囲に含む。ＴＤＭＡシステムは、ＧＳＭ（登録商標）（Global  System  for  Mobile  Communications）などの無線技術を実施することが可能である。ＯＦＤＭＡシステムは、Ｅ−ＵＴＲＡ（進化型ＵＴＲＡ）、ＵＭＢ（ウルトラモバイルブロードバンド）、Ｗｉ−Ｆｉ（ＩＥＥＥ８０２．１１）、ＷｉＭＡＸ（ＩＥＥＥ８０２．１６）、ＩＥＥＥ８０２．２０、Ｆｌａｓｈ−ＯＦＤＭ（登録商標）などを実施することが可能である。ＵＴＲＡおよびＥ−ＵＴＲＡは、ＵＭＴＳ（Universal  Mobile  Telecommunications  System）の一部である。３ＧＰＰ  ＬＴＥ（Long  Term  Evolution）が、ダウンリンクでＯＦＤＭＡを用い、アップリンクでＳＣ−ＦＤＭＡを用いる、Ｅ−ＵＴＲＡを使用する来たるべきリリースである。ＵＴＲＡ、Ｅ−ＵＴＲＡ、ＵＭＴＳ、ＬＴＥ、およびＧＳＭ（登録商標）は、３ＧＰＰ（「第３世代パートナーシッププロジェクト」）という名称の組織からの文書において説明される。さらに、ＣＤＭＡ２０００およびＵＭＢは、３ＧＰＰ２（「第３世代パートナーシッププロジェクト２」）という名称の組織からの文書において説明される。
【００２６】
様々な態様が、いくつかのデバイス、コンポーネント、モジュールなどを含むことが可能なシステムに関して提示される。様々なシステムは、さらなるデバイス、コンポーネント、モジュールなどを含むことが可能であり、さらに／または図に関連して説明されるデバイス、コンポーネント、モジュールなどのすべては含まないことも可能であることを理解し、認識されたい。また、これらのアプローチの組合せが使用されることも可能である。
【００２７】
次に図面を参照すると、図１が、様々な態様による無線通信システム内の制御リソースを調整するためのシステム１００を示す。図１が示す通り、システム１００は、１つまたは複数の端末１２０ｂと通信することができる１つまたは複数の基地局１１０を含むことが可能である。１つだけの基地局１１０、および１つだけの端末１２０が図１に示されるが、システム１００は、任意の数の基地局１１０および／または任意の数の端末１２０を含むことが可能であることを認識されたい。さらに、システム１００におけるそれぞれの基地局１１０は、マクロセル、フェムトセル（例えば、アクセスポイント基地局またはＨＮＢ（ホームノードＢ））に関連するエリア、および／または他の任意の適切なタイプのカバレッジエリアなどの任意の適切なカバレッジエリアにサービスを提供することが可能であることを認識することができる。
【００２８】
一態様によれば、端末１２０は、端末１２０に関するサービングｅＮＢとして指定された基地局１１０と通信することが可能である。例えば、端末１２０は、基地局１１０への１つまたは複数のアップリンク（ＵＬ、これは、逆方向リンク（ＲＬ）とも呼ばれる）通信を行うことができ、基地局１１０は、端末１２０へのダウンリンク（ＤＬ、これは、順方向リンク（ＦＬ）とも呼ばれる）通信を行うことができる。一例において、端末１２０と基地局１１０の間のアップリンク通信および／またはダウンリンク通信は、近くの基地局および／または端末（図示せず）への干渉をさらにもたらすことが可能である。例えば、複数の基地局１１０および／または複数の端末１２０を有するシステムにおいて、それぞれの基地局のカバレッジ間の重なり合いの中にあるエリアに位置する端末が、様々な状況下で、その端末が通信していない、その端末の範囲内の１つまたは複数の基地局、および／または他の端末に干渉をもたらす可能性がある。
【００２９】
前述の干渉が生じる特定の例が、図２〜図４に示される。図２を最初に参照すると、範囲拡張に関連する例示的な干渉シナリオを示すシステム２００の図が与えられている。システム２００によって示される通り、ＵＥ（ユーザ機器ユニット）２２０が、ｅＮＢ（進化型ノードＢ）２１２〜２１４のカバレッジエリアがＵＥ２２０のロケーションで重なり合うように、複数のｅＮＢ２１２〜２１４のセットに対して位置していることが可能である。さらに図示される通り、第１のｅＮＢ２１２が、比較的高い電力レート（例えば、Ｐｈｉｇｈ）を使用して通信することが可能であるのに対して、第２のｅＮＢ２１４は、より低い電力レート（例えば、Ｐｌｏｗ）を使用して通信することが可能である。ｅＮＢ２１２とｅＮＢ２１４の間の電力レベルの違いは、例えば、それぞれのｅＮＢ２１２〜２１４の構成の違い、異なるｅＮＢクラス（例えば、ｅＮＢ２１２がマクロセルであり、さらにｅＮＢ２１４がピコセルまたはフェムトセルであるシナリオにおける）などによることが可能である。
【００３０】
一例において、ＵＥ２２０は、最少のパスロスを示すＵＥ２２０の範囲内のｅＮＢ２１２または２１４に対して接続を確立することが可能であることを認識することができる。例えば、アップリンクで、ＵＥ２２０は、ＵＥ２２０からの固定の送信電力に関して、最低のパスロスを有するｅＮＢ２１４が最大の受信電力を同様に示すので、ｅＮＢ２１４に最低のパスロスで接続することができる。さらに、ダウンリンクで、高い電力のｅＮＢ２１２からＵＥ２２０への受信電力が、より低い電力を有するｅＮＢ２１４からの受信電力より大きい場合でさえ、それでも、ＵＥ２２０は、全体的なシステム干渉を低減するため、および／またはセル分割利得、より高いスループット、またはシステム２００のパフォーマンスへの他の好ましい効果をもたらすために、低い電力のｅＮＢ２１４に接続することを選択することが可能である。そのような接続は、ｅＮＢ２１４などの、より弱いｅＮＢの範囲を拡張するので、当技術分野において、一般に、「範囲拡張」モードまたは「範囲拡大」モードと呼ばれる。
【００３１】
システム２００によって示される一態様によれば、範囲拡張を可能にするのに、ＵＥ２２０は、システム２００における他のｅＮＢ２１２の受信電力と比べて受信電力が低いｅＮＢ２１４に接続することを要求される可能性がある。ｅＮＢ２１４とＵＥ２２０の間の接続に続いて、ｅＮＢ２１４は、ＵＥ２２０に、図２に実線として示される１つまたは複数の伝送を行うことができる。しかし、ＵＥ２２０は、ｅＮＢ２１２とｅＮＢ２１４の間のカバレッジエリアの重なり合いの中に位置しているので、ＵＥ２２０は、図２に破線として示される、ｅＮＢ２１２からの干渉する伝送をさらに経験する可能性がある。一例では、ｅＮＢ２１２がｅＮＢ２１４より強力である場合、ｅＮＢ２１２からの干渉する伝送が、ＵＥ２２０を妨害して、ＵＥ２２０がｅＮＢ２１４からの所望される伝送を検出する、または復号することを実質的にできなくする可能性がある。
【００３２】
制限された関連付けを有するネットワークセルと関係する第２の例示的な干渉シナリオが、図３のシステム３００によって示される。図３によって示される通り、システム３００は、関連するカバレッジエリア３１２を有するフェムトセル３１０と、フェムトセル３１０のカバレッジエリア３１２を含むエリアに関するカバレッジを提供するマクロセル３２０とを含むことが可能である。さらに、システム３００は、フェムトセル３１０のカバレッジエリア３１２内に位置するＵＥ３３０を含むことが可能である。
【００３３】
一例において、フェムトセル３１０は、例えば、ＵＥ３３０がフェムトセル３１０に接続することを許されないように、フェムトセル３１０に対する関連付けを制限することが可能である。そのような事例において、ＵＥ３３０は、フェムトセル３１０にではなく、ＵＥ３３０のロケーションにサービスを提供するマクロセル３２０に接続することを要求される可能性がある。しかし、そのようなシナリオは、フェムトセル３１０のアップリンク妨害と、ＵＥ３３０のダウンリンク妨害の両方をもたらす可能性がある。より詳細には、ＵＥ３３０のロケーションにおけるフェムトセル３１０の観測される信号強度が、マクロセル３２０の観測される信号強度より相当に大きい可能性があるという事実のため、図３に実線で示されるマクロセル３２０とＵＥ３３０の間の通信が、フェムトセル３１０のアップリンクへの妨害および／または干渉を生じさせる可能性があり、さらにフェムトセル３１０と、フェムトセル３１０によるサービスを受けるＵＥとの間の通信が、ＵＥ３３０のダウンリンクに干渉および／または妨害を生じさせる可能性がある。フェムトセル３１０とＵＥ３３０の間のそのような干渉が、図３に破線として示される。
【００３４】
フェムトセル、および／または関連するネットワークにおける他の１つまたは複数のセル４１４において経験されることが可能なアップリンク干渉と関係する第３の例示的な干渉シナリオが、図４のシステム４００によって示される。システム４００によって示される例において、複数のネットワークセル４１２〜４１４のセットが、所与のＵＥ４２２のロケーションを含む地理的エリアに関するカバレッジを提供することが可能である。一例において、ＵＥ４２２が、図４に実線として示される、セル４１２への１つまたは複数の送信をＵＥ４２２が行うことができるように、第１のネットワークセル４１２との接続を確立することが可能である。しかし、ＵＥ４２２は、システム４００におけるセル４１４によるサービスを受けるエリアにも入っているので、ＵＥ４２２からセル４１２への通信は、図４に破線として示される、セル４１４における干渉もさらに生じさせる可能性があることを認識することができる。そのような干渉は、セル４１４によるサービスを受ける他のＵＥ４２４がセル４１４に接続することができないように、逆方向リンクでセル４１４を妨害する可能性がある。セル４１４がＵＥ４２２からの干渉する送信によって妨害を受ける程度は、例えば、ＵＥ４２２の相対的電力レベル、セル４１４からのＵＥ４２２およびその他のＵＥ４２４の相対的距離、および／またはその他の要因に基づくことが可能である。
【００３５】
図１に戻ると、図２〜図４によって示される干渉シナリオ、および／または干渉の他の任意の該当する原因に鑑みて、システム１００におけるそれぞれのエンティティが、一態様により、システム１００内で経験される干渉を軽減するリソース調整を行うことが可能である。これらの目的で、基地局１１０が、基地局１１０と端末１２０の間の制御リソース使用を調整して、システム１００におけるエンティティ間の干渉の効果を軽減するように動作することができるリソース調整モジュール１１２を含むことが可能である。同様に、端末１２０が、干渉管理目的および／またはその他の適切な目的でリソース調整モジュール１２２を含むことが可能である。一例において、基地局１１０および端末１２０が、時間（例えば、サブフレーム、インタレースなど）、周波数（例えば、サブバンドなど）、コードなどの点で制御リソースの重なり合うセットを利用するように構成されている場合、それぞれ、基地局１１０および／または端末１２０におけるリソース調整モジュール１１２および／または１２２が、システム１００における１つのエンティティからの重なり合うリソース上で行われる伝送が、近くの別のエンティティにおける通信に干渉しないように、重なり合う制御リソース間の調整を円滑にすることができる。リソース調整のために利用されることが可能な特定の技術が、以下にさらに詳細に与えられる。
【００３６】
一態様によれば、リソース調整モジュール１１２および／または１２２は、例えば、システム１００におけるエンティティ間で、時間、周波数などの点でリソースを分割することを介して、リソース分割を円滑にすることが可能である。一例において、基地局１１０におけるリソース調整モジュール１１２が、確保要求モジュール１１４と協調して動作することが可能であり、モジュール１１４は、基地局１１０が、端末１２０、および／またはシステム１００内の他のエンティティから情報を受信することを予期する特定の周波数サブバンド、サブフレーム、または時間的なインタレースにおいて沈黙するよう、干渉する１つまたは複数のエンティティに要求することが可能である。同様に、端末１２０が、リソース調整モジュール１２２と協調して動作して、端末１２０が情報を受信することを予期する周波数サブバンド、時間的なサブフレームもしくはインタレース、および／またはその他のリソースの上で沈黙するよう、システム１００における干渉するエンティティに要求することが可能な確保要求モジュール１２４を含むことが可能である。したがって、特定の、限定的でない例として、端末１２０におけるリソース調整モジュール１２２および／または確保要求モジュール１２４を利用して、端末１２０が、干渉する他の基地局が存在する状態で、サービング基地局との接続を確立することができるようにされることが可能である。別の例において、リソース調整モジュール１１２および基地局１１０、および／または端末１２０におけるリソース調整モジュール１２２を利用して、基地局１１０と端末１２０の間で制御リソースおよび／またはデータリソースの使用が調整されることが可能である。端末１２０によって、通信する相手の基地局１１０を選択するため、選択された基地局１１０との通信に関連してクリアされるべきリソースを特定するためなどに利用されることが可能な技術が、以下にさらに詳細に説明される。
【００３７】
一例において、基地局１１０および／または端末１２０が、システム１００における様々なエンティティにＲＵＭ（リソース利用メッセージ）を通信することによって、システム１００におけるそれぞれのエンティティ間のリソース使用を調整することが可能である。例えば、基地局１１０が、リソースの確保（例えば、クリアすること、または取っておくこと）を要求するＦ−ＳＲＵＭ（ＦＬ特別ＲＵＭ）を１つまたは複数の端末１２０にサブミットすることが可能であり、端末１２０が、システム１００における１つまたは複数の基地局１１０にＲ−ＳＲＵＭ（ＲＬ特別ＲＵＭ）をサブミットすることによって、リソース確保を要求することが可能である。一例において、ＲＵＭは、受信側エンティティによって確保されるべきリソースを指定することが可能であり、受信側エンティティは、このメッセージに応答して、それらの指定されたリソースを確保することが可能である。代替として、ＲＵＭは、リソース確保を求める一般的な要求を含むことが可能であり、この要求に基づいて、受信側エンティティは、所定の量のリソースを確保することができる。
【００３８】
一態様によれば、基地局１１０と端末１２０は、以下の仕方で、基地局１１０と端末１２０の間の通信の確立に関連してＲＵＭを交換することが可能である。しかし、以下の説明は、例として、限定としてではなく与えられること、ならびに特に明記しない限り、特許請求の範囲は、そのような例に限定されることを意図していないことを認識されたい。特に、所望される基地局１１０との接続を可能にするのに、端末１２０は、リソースの或る特定のセットを介する送信をスケジュールするアクセス要求コマンドを基地局１１０に送信することが可能である。さらに、または代替として、端末１２０は、要求されるリソースにおいて干渉を生じさせている他の基地局（図示せず）に、所望されるリソースをクリアするよう、それらの他の基地局に要求するＲ−ＳＲＵＭを伝送することが可能である。端末１２０は、所望される基地局１１０が、構成されたリソースにおいて端末１２０にメッセージを送信すべきであり、さらに他の基地局が、所望される基地局１１０より高い電力で同一のリソースを使用して送信する場合、端末１２０が、基地局１１０からの伝送を回復することをできなくされる可能性があるという事実のため、このようにＲ−ＳＲＵＭを利用することが可能であることを認識することができる。したがって、このようにＲ−ＳＲＵＭを使用することにより、所望される基地局１１０から端末１２０への伝送のためのクリーンなダウンリンクチャネルが確立されることが可能である。
【００３９】
さらに、または代替として、或る特定のサブバンド、および／またはリソースの或る特定のセットに関して端末１２０からアクセス要求コマンドを受信する基地局１１０が、対応するリソースにおいて相当な干渉を生じさせている他の端末に、それらのリソースをクリアするよう要求するＦ−ＳＲＵＭを、その後、送信することが可能である。したがって、基地局１１０によるＦ−ＳＲＵＭの使用は、端末１２０が基地局１１０にメッセージを送信するクリーンなアップリンクチャネルをもたらすことが可能であることを認識することができる。アクセス要求メッセージ、Ｒ−ＳＲＵＭメッセージ、Ｆ−ＳＲＵＭメッセージを送信するための特定の技術が、以下の説明、および関連する図面に示され、説明される。
【００４０】
一例において、端末１２０が、ＰＵＣＣＨ（物理アップリンク制御チャネル）、ＰＵＳＣＨ（物理アップリンク共有チャネル）、ＳＲＳ（サウンディング基準信号）、ＰＲＡＣＨ（物理ランダムアクセスチャネル）、ＬＲＡ（低再利用アクセス）チャネル、および／または他の任意の適切なチャネルを介して基地局１１０にそれぞれのアクセス要求コマンドおよび／またはＲ−ＳＲＵＭを送信することが可能である。別の例において、基地局１１０が、ＰＢＣＨ（一次ブロードキャストチャネル）、ＰＤＣＣＨ（物理ダウンリンク制御チャネル）、ＰＤＳＣＨ（物理ダウンリンク共有チャネル）、ＰＨＩＣＨ（物理ハイブリッドＡＲＱ（自動再送要求）指標チャネル）、ＳＩＢ（システム情報ブロック）、ＰＳＳ（一次同期系列）、ＳＳＳ（二次同期系列）、ＬＲＰ（低再利用プリアンブル）チャネルなどのプリアンブルチャネルなど、および／または他の任意の適切なチャネルを使用して、端末１２０に１つまたは複数のＦ−ＳＲＵＭを送信することが可能である。さらに、Ｌ１（層１）シグナリング、Ｌ３（層３）シグナリングなどの任意の適切なシグナリングタイプが、本明細書で説明される通り、それぞれのアクセス要求コマンド、Ｒ−ＳＲＵＭ，および／またはＦ−ＳＲＵＭを送信する際に基地局１１０および／または端末１２０によって利用されることが可能であることを認識することができる。
【００４１】
別の特定の例によれば、端末１２０が、ＬＲＰ（低再利用プリアンブル）メッセージなどのプリアンブルメッセージ、および／または別の適切な機構を利用して、端末１２０の範囲内のそれぞれの基地局１１０を識別することが可能である。この特定に基づいて、端末１２０は、接続すべき基地局１１０、および／または干渉を生じさせている他の基地局１１０を識別することが可能である。その後、端末１２０は、所望される基地局１１０にアクセス要求コマンドをサブミットし、干渉を生じさせていると識別された基地局１１０にＲ−ＳＲＵＭメッセージをサブミットすることが可能である。
【００４２】
一態様によれば、システム１００における基地局１１０が、基地局１１０によってそれぞれサービスを提供される端末と通信し、アクセス要求のサブミットに先立って、所与の端末１２０と通信するリソースを有して構成されていない。同様に、システム１００における端末１２０は、それぞれの非サービング基地局１１０と通信するために利用されるべきリソースを有して構成されていない。したがって、一例において、アクセス要求および／またはリソース確保要求のために排他的に利用されるクリーンなチャネルが、システム１００内で確立されることが可能である。例えば、システム帯域幅の一部をアクセスチャネルに専用にして、その専用部分がアクセス要求および／または確保要求のためだけに使用されるようにすることによって、クリーンなチャネルが確立されることが可能である。一例において、そのような優勢な干渉条件における通信を許す、そのようなリソースが、すべての基地局１１０および／または端末１２０によってクリアされることが可能である。したがって、システム１００における基地局１１０および／または端末１２０は、アクセス要求、リソース要求、または他のメッセージのための専用リソースをモニタするように構成されることが可能である。
【００４３】
特定の例として、アクセス要求シグナリングおよび／またはリソース確保要求シグナリングが送信されることが可能なリソースと関係する情報が、例えば、ＰＤＣＣＨ、ＳＩＢ、ＰＢＣＨ、ＬＲＰ、および／または他の任意の適切なチャネルなどの１つまたは複数の通信チャネルを介して、システム１００における端末１２０によって取得されることが可能である。さらに、アクセス要求シグナリングおよび／またはリソース確保要求シグナリングが送信されることが可能なリソースと関係する情報を取得する際に端末１２０によって利用される１つまたは複数のチャネルが、端末１２０が接続することを所望する相手の基地局１１０以外の基地局を含む、システム１００における任意の適切な基地局１１０から、端末１２０が必要な情報を取得することができるように、グローバルチャネルとして構成されることが可能であることを認識することができる。別の特定の例において、それぞれの基地局１１０が、Ｒ−ＳＲＵＭメッセージおよび／またはアクセス要求メッセージの受信のために１つまたは複数のＰＵＣＣＨ  ＲＢ（リソースブロック）（例えば、システム周波数帯域の端部、および／または他の任意の適切なリソースロケーション）を確保することが可能である。さらに、または代替として、アクセス要求送信および／またはＲ−ＳＲＵＭ送信のためのクリーンなリソースが、ＰＵＳＣＨリソースを確保することによって取得されることが可能である。さらに、ダウンリンク上で、リソース利用シグナリングのためのクリーンなリソースが、スケジュールされたリソース上でそれぞれの端末１２０に／から制御伝送および／またはデータ伝送が全く行われないように、それぞれの基地局１１０によってＰＤＳＣＨリソースがスケジュールされることを介して、取得されることが可能であることを認識することができる。
【００４４】
別の態様によれば、システム１００における基地局１１０および／または端末１２０が、所与の時間に複数のメッセージが衝突した場合、メッセージが、意図される受信者によって適切に受信されなかった場合、および／または他の適切な原因により、専用のクリーンなチャネルを介して情報を再送するように構成されることが可能である。再送は、一様である、さらに／または時間につれ変化することが可能な時間再利用パターンによる時間間隔で実行されることが可能である。一例において、時間再利用は、所望される基地局１１０が、リソースの不足、および／または他の原因により、端末１２０をスケジュールできない場合、端末１２０においてトリガされることが可能である。このため、例えば、端末１２０は、端末１２０のスケジューリングが行われなかった場合に所定の期間が満了すると、アクセス要求を再送するように構成されることが可能である。
【００４５】
別の態様によれば、システム１００における１つまたは複数の基地局１１０および／または端末１２０が、例えば、システム１００および／またはシステム１００内の１つまたは複数のエリアに関する管理サーバまたは管理エンティティであることが可能な、外部システムコントローラ（図示せず）の助けを借りて、通信リソースを調整することが可能である。一例において、そのようなシステムコントローラは、所与のエリア（例えば、近隣）内の１つまたは複数のチャネルの使用を調整することができるＨＭＳ（ＨＮＢ（ホームノードＢ）管理サーバ）および／または別の適切なエンティティであることが可能である。別の例において、スタンドアロンシステムコントローラが、バックホールメッセージングを介して、さらに／または他の任意の適切な手段によってシステム１００における基地局１１０および／または端末１２０と通信することが可能である。
【００４６】
システム１００にさらに示される通り、基地局１１０が、リソース調整モジュール１１２、確保要求モジュール１１４、および／または基地局１１０の他の任意のコンポーネントの機能の一部またはすべてを実施するのに利用されることが可能なプロセッサ１１６および／またはメモリ１１８を含むことが可能である。同様に、図１は、端末１２０が、リソース調整モジュール１２２、確保要求モジュール１２４、および／または端末１２０の他の任意のコンポーネントの機能の一部またはすべてを実施するプロセッサ１２６および／またはメモリ１２８を含むことが可能である。
【００４７】
次に図５を参照すると、様々な態様による、ダウンリンクリソース調整のためにユニキャストメッセージを利用するための例示的なシステム５００のブロック図が、示されている。図５に示される通り、システム５００は、ＵＥ５１０を含むことが可能であり、ＵＥ５１０は、所望されるサービングｅＮＢ５２０、ならびにＵＥ５１０に干渉を生じさせている１つまたは複数の隣接ｅＮＢ５３２〜５３６が存在する状況に位置していることが可能である。図５にさらに示される通り、アクセス要求が、所望されるサービングｅＮＢ５２０に供給され、個々にあつらえられたＲ−ＳＲＵＭが、それぞれの干渉するｅＮＢ５３２、５３４、および５３６に送信されるように、Ｒ−ＳＲＵＭメッセージが、ユニキャストの仕方で送信されることが可能である。一例において、対応するｅＮＢ５３２〜５３６に供給されるそれぞれのＲ−ＳＲＵＭは、意図されるｅＮＢのＩＤ、明け渡されるべき特定のリソース、および／または他の適切な情報を含むことが可能である。
【００４８】
一態様によれば、システム５００において示されるユニキャストＲ−ＳＲＵＭが、Ｒ−ＳＲＵＭのために特別に確保されたチャネル、および／またはレガシーチャネル（例えば、ＰＲＡＣＨ（物理ランダムアクセスチャネル））を介して送信されることが可能である。一例において、干渉するｅＮＢ５３２〜５３６にレガシーチャネル上で情報を送信するのに、ＵＥ５１０は、一部の事例において、それぞれのｅＮＢ５３２〜５３６によって送信される信号をリッスンすることによって、帯域幅パラメータなどのシステムパラメータを取得することを要求されることが可能である。ＵＥ５１０は、一部の事例において、干渉するすべてのｅＮＢ５３２と関係するパラメータを同時に取得することができない可能性がある。このため、一例では、図６によって示される通り、チャネル情報を取得して、それぞれのＲ−ＳＲＵＭをサブミットするために多段技術が使用されることが可能である。
【００４９】
図６が示す通り、サービングｅＮＢ６２０、および干渉する複数のｅＮＢ６３２〜６３６が存在する状態にあるＵＥ６１０が、ダイアグラム６０２に示される通り、ＵＥ６１０が接続することができるｅＮＢ６３２と関係するチャネル情報を取得することが可能である。ＵＥ６１０がチャネルパラメータを最初に抽出するｅＮＢ６３２は、ＵＥ６１０において観測される最強の干渉をもたらすｅＮＢ６３２であることが可能であるが、そうである必要はない。抽出されたチャネル情報に基づいて、ＵＥ６１０は、ｅＮＢ６３２にＲ−ＳＲＵＭをサブミットして、ｅＮＢ６３２に、リソースのあらかじめ定義されたセットを取っておくようにさせることが可能である。ｅＮＢ６３２が、定義されたリソースを確保することに続いて、ダイアグラム６０４で示される通り、ＵＥ６１０は、他の１つまたは複数のｅＮＢ６３４からチャネルパラメータを抽出して、対応するＲ−ＳＲＵＭを送信することが可能である。一例において、ＵＥ６１０が通信する相手の、後続のｅＮＢ６３４は、それまで最も強く干渉していたｅＮＢ６３２によるリソースの確保の後に、ＵＥ６１０において観測される最強の干渉をもたらすｅＮＢであることが可能であるが、そうである必要はない。一例において、ダイアグラム６０２〜６０４によって示されるプロセスは、ＵＥ６１０にしきい値より高い量の干渉を生じさせるすべてのｅＮＢ６３２〜６３６におけるリソース確保をＵＥ６１０が要求することを可能にするために、さらなるｅＮＢ（例えば、システム６００におけるｅＮＢ６３６および／または他のｅＮＢ）に関して、その後、続けられることが可能である。
【００５０】
図５に戻ると、ユニキャストＲ−ＳＲＵＭメッセージングが、例えば、Ｒ−ＳＲＵＭメッセージングを送信するのにシステム５００における任意のＵＥ５１０および／または他のエンティティによって利用されることが可能なクリーンなチャネルを利用することによって、さらに、または代替として行われることが可能である。一例において、Ｒ−ＳＲＵＭメッセージングのために使用されるクリーンなチャネルは、Ｒ−ＳＲＵＭに特別に割り当てられ、アクセス要求メッセージングおよび／または他の類似したタイプのメッセージングのために確保されたチャネルと合致するように構成され、さらに／または他の任意の適切な仕方で割り当てられることが可能である。例えば、図７のダイアグラム７００で示される通り、ＬＲＰメッセージ７１２〜７１６などのプリアンブルメッセージが、ＬＲＰ（低再利用プリアンブル）チャネル、および／またはＬＲＰメッセージ７１２〜７１６などのプリアンブルメッセージのために確保された他の任意の適切なプリアンブルチャネルに関連するダウンリンク帯域幅７０２上で、それぞれのｅＮＢによって送信されることが可能である。さらに、所望されるｅＮＢへのアクセス要求コマンド７２２、および／または干渉する１つまたは複数のｅＮＢへのＲ−ＳＲＵＭ７２４〜７２６が、メッセージ７２２〜７２６のタイミングが、ダウンリンク帯域幅７０２上で対応するｅＮＢによって送信されるＬＲＰ７１２〜７１６のタイミングに結び付けられて、効率およびＲ−ＳＲＵＭ検出精度を向上させるように、アップリンク帯域幅７０４上で１つまたは複数のＵＥによって送信されることが可能である。
【００５１】
一例において、所与のｅＮＢに向けられたユニキャストアクセス要求メッセージまたはユニキャストＲ−ＳＲＵＭメッセージは、ダウンリンク帯域幅７０２上でｅＮＢによって送信されるＬＲＰの後に続いて、アップリンク帯域幅７０４上で所定の期間に送信されることが可能である。例えば、ダイアグラム７００が、ｅＮＢ０によって通信されるＬＲＰ７１２の後に続いて、ｅＮＢ０に向けられたアクセス要求７２２が、ＬＲＰ７１２の後に続く所定の期間にアップリンク帯域幅７０４上で送信されることが可能であることを示す。同様に、干渉するｅＮＢ１に向けられたＲ−ＳＲＵＭ７２４が、ｅＮＢ１によって供給されるＬＲＰ７１４の後に続く所定の時間でアップリンク帯域幅７０４を使用して送信されることが可能である。したがって、それぞれの基地局は、ＬＲＰの送信の後に続く限られた時間的なセグメントにおいてアクセス要求メッセージングおよび／またはＲ−ＳＲＵＭメッセージングを求めてスキャンするように構成されて、Ｒ−ＳＲＵＭ検出に要求されるリソースの量を低減し、さらにＲ−ＳＲＵＭを誤って検出する確率を低減することが可能であることを認識することができる。一例において、ＬＲＰの送信から、対応するＲ−ＳＲＵＭの送信までの間の所定の時間は、関連システム内のすべてのエンティティに関して一様であることが可能であり、あるいは時とともに、さらに／またはエンティティごとに異なることが可能である。別の例において、アクセス要求メッセージングとＲ−ＳＲＵＭメッセージングは、ダイアグラム７００で示されるチャネルなどの同一のチャネル上で行われることが可能であり、あるいは異なるチャネル上で行われることが可能である。
【００５２】
さらなる例において、アクセス要求メッセージおよび／またはＲ−ＳＲＵＭは、複数のＵＥそれぞれによって送信されたそのようなメッセージ間で衝突が生じた場合、および／または送信されたメッセージへの応答が、その応答の意図される受信者によって受信されることを妨げる他の任意の障害イベントの場合、アップリンク帯域幅７０４上で再送されるように構成されることが可能である。
【００５３】
次に図８を参照すると、様々な態様による、ダウンリンクリソース調整のためにブロードキャストメッセージを利用するためのシステム８００のブロック図が示されている。システム８００によって示される通り、基地局８１０および／または８２０のセットが、端末８３０を含む地理的エリアに関するカバレッジを提供することが可能である。一態様によれば、１つまたは複数の基地局８１０および／または８２０が端末８３０に干渉を生じさせている場合、端末８３０は、ブロードキャストの仕方で基地局８１０および８２０にＲ−ＳＲＵＭをサブミットすることが可能である。一態様によれば、ブロードキャストＲ−ＳＲＵＭは、アクセス要求メッセージの一部としてサブミットされることが可能である。
【００５４】
図５〜図７によって示されるユニキャストＲ−ＳＲＵＭメッセージング技術とは対照的に、端末８３０によって送信されるブロードキャストＲ−ＳＲＵＭは、８３０の範囲内の複数の基地局８１０および８２０に関して一般化されることが可能であることを認識することができる。このため、例えば、ブロードキャストＲ−ＳＲＵＭは、所望されるサービング基地局のＩＤ、Ｒ−ＳＲＵＭが送信される送信電力、サブバンドインデックス、および／または所望されるリソースと関係する他の情報などの情報を含むことが可能である。基地局８１０および／または８２０においてブロードキャストＲ−ＳＲＵＭを受信すると、基地局８１０および／または８２０は、干渉計算モジュール８１２および／または８２２を利用して、基地局８１０および／または８２０が端末８３０に少なくともしきい値レベルの干渉を生じさせているかどうかを判定することが可能である。例えば、干渉計算モジュール８１２および／または８２２は、Ｒ−ＳＲＵＭが受信された電力レベルを測定し、この測定された電力レベルを、Ｒ−ＳＲＵＭの中で与えられる送信電力レベルと比較して、端末８３０から対応する基地局８１０および／または８２０までのパスロスを計算することが可能である。この情報に基づいて、干渉計算モジュール８１２および／または８２２は、対応する基地局８１０および／または８２０が端末８３０に干渉している程度を算出することができる。この算出された干渉が少なくともしきい値である場合、対応するリソース確保モジュール８１４および／または８２４を利用して、Ｒ−ＳＲＵＭの中で指定されたリソースが取っておかれることが可能である。
【００５５】
このため、一態様によれば、図５〜図７によって示されるユニキャストＲ−ＳＲＵＭ機構と、図８によって示されるブロードキャストＲ−ＳＲＵＭ機構は、端末８３０にもたらされる干渉を計算するエンティティが異なることが可能であることを認識することができる。より詳細には、本明細書で説明される通り、干渉計算は、ユニキャストＲ−ＳＲＵＭの場合、端末側で実行されることが可能であり、ブロードキャストＲ−ＳＲＵＭの場合、ネットワーク側で実行されることが可能である。
【００５６】
次に図９を参照すると、様々な態様によるアップリンクリソース調整を行うためのシステム９００が示されている。一態様によれば、システム９００は、ｅＮＢ９３０のカバレッジエリア内に位置することが可能なそれぞれのＵＥ９１０および／または９２０を含むことが可能である。一例において、ｅＮＢ９３０がＵＥ９１０および／または９２０に通信サービスを提供しない場合、１つまたは複数のＵＥ９１０および／または９２０が、一部の事例において、アップリンクでｅＮＢ９３０に干渉または妨害を生じさせる可能性がある（例えば、図４に関連して前段で示される通り）。このため、ｅＮＢ９３０において観測される干渉のレベルを管理するのに、ｅＮＢは、ｅＮＢ９３０がｅＮＢ９３０に関連付けられたＵＥに通信することを許すために所与のリソースを取っておくよう、干渉するＵＥ９１０および／または９２０にさせるために、１つまたは複数のＵＥ９１０および／または９２０にＦ−ＳＲＵＭメッセージングをブロードキャストすることが可能である。
【００５７】
一例において、Ｆ−ＳＲＵＭ通信は、システム８００によって示されるブロードキャストＲ−ＳＲＵＭ通信と類似した仕方で行われることが可能である。より詳細には、ｅＮＢ９３０が、Ｆ−ＳＲＵＭを送信するのに使用された送信電力、使用されることが所望される特定のリソース、および／または他の情報を含むＦ−ＳＲＵＭをＵＥ９１０および／または９２０にブロードキャストすることが可能である。Ｆ−ＳＲＵＭを受信すると、それぞれの干渉計算モジュール９１２および／または９２２が、Ｆ−ＳＲＵＭの中の情報に基づいて、それぞれに関連するＵＥ９１０および／または９２０がｅＮＢ９３０に干渉している程度を算出することが可能である。このことは、例えば、Ｆ−ＳＲＵＭの中で指定された送信電力を、Ｆ−ＳＲＵＭが受信された電力と比較することによって行われることが可能である。ＵＥ９１０および／または９２０が、ｅＮＢ９３０に少なくとも所定の量の干渉を生じさせていると判定すると、リソース確保モジュール９１４および／または９２４は、ｅＮＢ９３０によって所望されるリソースの一部またはすべてを取っておくことが可能である。
【００５８】
別の態様によれば、Ｆ−ＳＲＵＭメッセージングは、プリアンブル送信に割り当てられたダウンリンクチャネル上でｅＮＢ９３０によって行われることが可能である。図１０のダイアグラム１０００によって示される特定の例として、Ｆ−ＳＲＵＭメッセージングは、プリアンブルチャネルに、例えば、ＬＲＰチャネルに割り当てられたダウンリンクリソースを介して行われることが可能である。一例において、プリアンブルチャネルは、ＵＥが隣接基地局を識別するのを助けるためにそれぞれの基地局によって利用される、通信システム内の共通チャネルとして構成されることが可能である。例として、関連する通信システムにおけるそれぞれの基地局は、ＵＥがそれぞれの基地局を発見するのを助けるためにＵＥによって検出されることが可能な、対応するＬＲＰメッセージ１０１０および／または１０３０を送信することが可能である。一例において、ＬＲＰメッセージ１０１０および／または１０３０は、異なる基地局からのＬＲＰメッセージ１０１０および１０３０の間の絶え間ない衝突の可能性を低減するため、関連するＬＲＰチャネル上でランダムな間隔で送信されることが可能である。
【００５９】
一例において、関連する通信システムにおけるそれぞれの基地局は、ＬＲＰメッセージ１０１０および／または１０３０に加えて、時間再利用を伴うＬＲＰチャネル上でＦ−ＳＲＵＭメッセージ１０２０を送信するようにさらに構成されることが可能である。代替例において、基地局は、それぞれのＬＲＰメッセージ１０１０および／または１０３０の中にＦ−ＳＲＵＭ情報を組み込んで、それぞれのＵＥが、対応する１つまたは複数のＬＲＰメッセージ１０１０および／または１０３０内のＦ−ＳＲＵＭに対応する情報を得るように構成されるようにすることが可能である。
【００６０】
代替の例において、Ｆ−ＳＲＵＭメッセージングが、例えば、それぞれのＬＲＰメッセージ１０１０および／または１０３０の中に、対応する基地局がロードされているかどうかを示すパラメータを含めることによって、１つまたは複数のＬＲＰメッセージ１０１０および／または１０３０の中に埋め込まれることが可能である。特定の例として、１ビットのローディング指標が、ＬＲＰメッセージ１０１０および／または１０３０内で利用されることが可能である。そのような例において、ＬＲＰメッセージ１０１０および／または１０３０がローディングを示す場合、干渉するそれぞれのＵＥは、ＬＲＰメッセージ１０１０および／または１０３０を送信した基地局が、基地局によるサービスを受けるＵＥの１つまたは複数と接続を確立するのに必要とするそれぞれのリソースをクリアするように構成されることが可能である。代替として、ＬＲＰメッセージ１０１０および／または１０３０がローディングを示さない場合、ＵＥは、それぞれのリソースを継続して使用するように構成されることが可能である。一例において、それぞれのＵＥは、ＬＲＰメッセージ１０１０および／または１０３０の上で測定された電力に基づいて、または他の任意の適切な手段によって、それぞれのＵＥが、ＬＲＰメッセージ１０１０および／または１０３０に対応する基地局に干渉しているかどうかを判定することが可能である。
【００６１】
次に図１１を参照すると、様々な態様による、介在するセルを介してネットワークセルに接続するための技術を示すダイアグラム１１０２〜１１０４のセットが与えられている。一例において、図１１によって示されるシステムは、ＵＥ１１２０の通信範囲内にそれぞれが位置することが可能なネットワークセル１１１２および１１１４のセットを含むことが可能である。一態様によれば、ＵＥ１１２０は、例えば、セル１１１２および１１１４からの相対的距離、異なるセルタイプ（例えば、マクロセル、ピコセル、またはフェムトセル）などのために、第２のセル１１１４からの電力レベルより低い第１のセル１１１２からの電力レベルを観測することが可能である。しかし、範囲拡張、アクセス制限、および／または他の理由のため、ＵＥ１１２０は、一部の事例において、比較的低い観測された電力レベルを有するセル１１１２に接続するように構成されることが可能である。そのような接続は、前段で概ね説明された通り、干渉をもたらす可能性がある。さらに、一部の事例において、ＵＥ１１２０は、そのような干渉を軽減するためにそれぞれのセル１１１２および１１１４の間でリソースを調整する処理パワーまたは処理能力を欠いている可能性がある。
【００６２】
したがって、一例において、ＵＥ１１２０は、ダイアグラム１１０２に示される通り、リソース調整を円滑にするという限定された目的で非サービングセル１１１４に最初に接続することが可能である。セル１１１４とＵＥ１１２０の間の接続が行われると、セル１１１４は、バックホールを介して、および／または他の適切な手段によってセル１１１２と通信して、ＵＥ１１２０にもたらされる干渉を軽減するようにセル１１１２と１１１４の間でリソース使用を調整することができる。ダイアグラム１１０２によって示されるリソース調整の後、ＵＥ１１２０に関する非サービングセル１１１４は、サービングセル１１１２へのハンドオフを円滑にすることが可能である。特定の例として、図１１によって示される手順は、セル１１１４が制限されたフェムトセルであり、セル１１１２がマクロセルであり、さらにＵＥ１１２０がセル１１１４に接続することが閉ざされるシナリオにおいて行われることが可能である。そのような例において、図１１によって示される手順は、マクロセル１１１２へのハンドオフをネゴシエートするという限定された目的で、ＵＥ１１２０が、ＵＥ１１２０に閉ざされているフェムトセル１１１４からアクセス特権を受け取ることを可能にするのに利用されることが可能である。
【００６３】
次に図１２〜図１８を参照すると、本明細書で説明される様々な態様に従って実行されることが可能な方法が示されている。説明を簡単にするため、これらの方法は、一連の動作として示され、説明されるが、一部の動作は、１つまたは複数の態様によれば、本明細書で示され、説明されるのとは異なる順序で、さらに／または他の動作と同時に行われることが可能であるので、これらの方法は、動作の順序によって限定されないことを理解し、認識されたい。例えば、方法は、代替として、状態図などにおいて、一連の互いに関係する状態またはイベントとして表されることも可能であることが当業者には理解され、認識されよう。さらに、１つまたは複数の態様に従って方法を実施するのに、例示されるすべての動作が要求されるわけではない可能性がある。
【００６４】
図１２を参照すると、図示されているのは、無線通信システム（例えば、システム５００）におけるダウンリンクリソース分割のためのユニキャストメッセージングのための方法１２００である。方法１２００は、例えば、端末（例えば、ＵＥ５１０）および／または他の任意の適切なネットワークデバイスによって実行されることが可能であることを認識されたい。方法１２００は、ブロック１２０２で始まり、クリーンな通信チャネル上で所望されるサービング基地局（例えば、サービングｅＮＢ５２０）にアクセス要求が送信される。次に、方法１２００は、ブロック１２０４に進むことが可能であり、検出された干渉する１つまたは複数の基地局（例えば、干渉するｅＮＢ５３２〜５３６）にそれぞれのＲＵＭが送信される。一例において、ブロック１２０２で送信されるアクセス要求、およびブロック１２０４で送信されるＲＵＭは、ブロック１２０６で、アクセス要求およびＲＵＭへの応答が受信されたかどうかが判定されるように、時間再利用を利用することが可能である。アクセス要求およびＲＵＭへの応答が受信されていない場合、方法１２００は、ブロック１２０８に進むことが可能であり、アクセス要求およびＲＵＭが、時間再利用パターンに基づいて再送され、その後、ブロック１２０６における判定が繰り返されることが可能である。受信されている場合、方法１２００は、終了することが可能である。
【００６５】
図１３は、無線通信システムにおいてダウンリンクリソース分割のためにユニキャストメッセージングを利用するための別の方法１３００を示す。方法１３００は、例えば、端末（例えば、ＵＥ６１０）および／または他の任意の適切なネットワークデバイスによって実行されることが可能である。方法１３００は、ブロック１３０２で始まり、最も強く干渉するｅＮＢ（例えば、干渉するｅＮＢ６３２）が識別される。次に、ブロック１３０４で、ブロック１３０２で識別されたｅＮＢと関係するチャネル情報が観測される。ブロック１３０６で、ブロック１３０４で観測されたチャネル情報に基づいて、指定されたリソース（例えば、時間間隔、サブバンドなど）の確保を要求するメッセージが、この識別されたｅＮＢに送信される。ブロック１３０８で、指定されたリソースが識別されたｅＮＢによって取っておかれているかどうかを判定する検査が、その後に行われることが可能であり、否定的な判定が行われると、ブロック１３０６における送信が繰り返されることが可能である。肯定的な判定が行われると、方法１３００は、ブロック１３１０に進むことが可能であり、他の干渉するｅＮＢ（例えば、ｅＮＢ６３４〜６３６）が存在するかどうかが判定される。そのようなｅＮＢが存在する場合、方法１３００は、２番目に強く干渉するｅＮＢ（例えば、ダイアグラム６０４に示される）の処理のためにブロック１３０２に戻ることが可能である。
【００６６】
図１４は、無線通信システムにおけるダウンリンクリソース分割に関連してユニキャストメッセージングを使用するためのさらなる方法１４００を示す。方法１４００は、例えば、ＵＥおよび／または他の任意の適切なネットワークデバイスによって実行されることが可能である。方法１４００は、ブロック１４０２で始まり、少なくともしきい値レベルの干渉を生じさせる基地局が識別される。次に、ブロック１４０４で、ブロック１４０２において識別された基地局によって、共通チャネル（例えば、ＬＲＰチャネル）上で送信されたメッセージ（例えば、ＬＲＰ７１２またはＬＲＰ７２２）が識別される。方法１４００は、ブロック１４０６で終了することが可能であり、ブロック１４０２で識別された基地局によるリソースの確保を要求するメッセージ（例えば、Ｒ−ＳＲＵＭ７１４またはＲ−ＳＲＵＭ７２４）が、ブロック１４０４で識別されたメッセージの後に続く所定の時間に共通チャネル上で送信される。
【００６７】
図１５は、無線通信システムにおいてアップリンクでブロードキャストリソース調整メッセージングを送信するための方法１５００を示す。方法１５００は、例えば、移動端末（例えば、端末８３０）および／または他の任意の適切なネットワークデバイスによって実行されることが可能である。方法１５００は、ブロック１５０２で始まり、所望されるサービングノードＢ（例えば、基地局８１０または８２０）が選択される。次に、ブロック１５０４で、ブロック１５０２で選択されたノードＢとの通信のために指定されたリソースのセットが識別される。次に、方法１５００は、ブロック１５０６で終了することが可能であり、選択されたノードＢのＩＤ、アクセス要求が通信されている送信電力、およびブロック１５０４で識別されたリソースのセットと関係する情報を含むアクセス要求が、ブロードキャストされる。
【００６８】
次に図１６を参照すると、ダウンリンクリソース分割に関連して、移動端末（例えば、端末８３０）によって供給されるブロードキャストアクセス要求メッセージングを活用するための方法１６００が、示される。方法１６００は、例えば、ノードＢ（例えば、基地局８１０および／または８２０）、および／または他の任意の適切なネットワークデバイスによって実行されることが可能である。方法１６００は、ブロック１６０２で始まり、アクセス要求およびＲ−ＳＲＵＭ情報を含むメッセージが端末から受信される。次に、ブロック１６０４で、方法１６００を実行するエンティティが、ブロック１６０２で受信されたメッセージの中で所望されるノードＢとして指定されているかどうかが判定される。方法１６００を実行するエンティティがそのように指定されている場合、方法１６００は、ブロック１６０６で終了することが可能であり、端末との通信が確立される。
【００６９】
方法１６００を実行するエンティティが所望されるノードＢとして指定されていない場合、方法１６００は、ブロック１６０８に代わりに進むことが可能であり、ブロック１６０２で受信されたメッセージの中で与えられた送信電力レベルが、メッセージが受信された電力レベルと比較される。ブロック１６１０で、ブロック１６０８における比較から、方法１６００を実行するエンティティが、アクセス要求／Ｒ−ＳＲＵＭメッセージが受信された端末に干渉しているかどうかの判定が行われる。ブロック１６１０でしきい値量未満の干渉が識別された場合、方法１６００は、終了することが可能である。しきい値量以上の干渉が識別された場合、方法１６００は、終了するのに先立ってブロック１６１２に進むことが可能であり、ブロック１６０２で受信されたメッセージの中で指定されたリソースが、方法１６００を実行するエンティティによって取っておかれる。
【００７０】
図１７を参照すると、アップリンクリソース分割を行うための方法１７００が示されている。方法１７００は、例えば、基地局（例えば、ｅＮＢ９３０）および／または他の任意の適切なネットワークデバイスによって実行されることが可能である。方法１７００は、ブロック１７０２で始まり、関連する通信システムによって利用されるＬＲＰチャネルが識別される。次に、ブロック１７０４で、送信電力レベルおよびリソースインデックス情報が選択される。次に、方法１７００は、ブロック１７０６で終了することが可能であり、ブロック１７０４で選択された、選択された送信電力レベルおよびリソースインデックス情報を識別するダウンリンクＲＵＭが、ＬＲＰチャネル（例えば、ダイアグラム１０００によって示される）を介して送信される（例えば、ＵＥ９１０および／または９２０に）。
【００７１】
図１８は、無線通信システムにおけるアップリンクリソース分割のための別の方法１８００を示す。方法１８００は、例えば、端末（例えば、ＵＥ９１０および／または９２０）および／または他の任意の適切なネットワークデバイスによって実行されることが可能である。方法１８００は、ブロック１８０２で始まり、Ｆ−ＳＲＵＭメッセージングが、基地局（例えば、ｅＮＢ９３０）から受信される。次に、ブロック１８０４で、ブロック１８０２においてＦ−ＳＲＵＭメッセージングが受信された電力レベルが測定される。次に、ブロック１８０６で、Ｆ−ＳＲＵＭメッセージングの中で指定された送信電力レベルが、ブロック１８０４で測定された電力レベルと比較される。ブロック１８０８で、ブロック１８０６における比較から、方法１８００を実行するエンティティが、ブロック１８０２でＦ−ＳＲＵＭメッセージングが受信された基地局に干渉しているかどうかが判定される。ブロック１８０８でしきい値量未満の干渉が識別された場合、方法１８００は、終了することが可能である。ブロック１８０８でしきい値量以上の干渉が識別された場合、方法１８００は、終了するのに先立ってブロック１８１０に進むことが可能であり、Ｆ−ＳＲＵＭメッセージングの中で指定されたリソースが、方法１８００を実行するエンティティによって取っておかれる。
【００７２】
次に図１９〜図２３を参照すると、無線通信システムにおいてリソース分割を円滑にするそれぞれの装置１９００〜２３００が示されている。装置１９００〜２３００は、プロセッサ、ソフトウェア、またはプロセッサとソフトウェアの組合せ（例えば、ファームウェア）によって実施される機能を表す機能ブロックであることが可能な機能ブロックを含むものとして表されていることを認識されたい。
【００７３】
図１９を最初に参照すると、図示されているのは、ユニキャストダウンリンクリソース調整シグナリングを行うための装置１９００である。装置１９００は、移動端末（例えば、ＵＥ６１０）および／または別の適切なネットワークデバイスによって実施されることが可能であり、所望されるサービングノードＢ、および干渉する１つまたは複数のノードＢを識別するためのモジュール１９０２と、所望されるサービングノードＢにアクセス要求を送信するためのモジュール１９０４と、干渉するそれぞれのノードＢにユニキャストリソース確保要求を送信するためのモジュール１９０６とを含むことが可能である。
【００７４】
図２０は、ブロードキャストダウンリンクリソース調整シグナリングを行うための装置２０００を示す。装置２０００は、ＵＥ（例えば、端末８３０）および／または別の適切なネットワークデバイスによって実施されることが可能であり、通信が確立されるべき相手の基地局を識別するためのモジュール２００２と、リソースのセット、および送信電力レベルを選択するためのモジュール２００４と、通信が確立されるべき相手の基地局に、リソースの選択されたセット、および選択された送信電力レベルを示すアクセス要求をブロードキャストするためのモジュール２００６とを含むことが可能である。
【００７５】
図２１を参照すると、アップリンクリソース分割メッセージを処理するための装置２１００が示されている。装置２１００は、端末（例えば、ＵＥ９１０および／または９２０）および／または別の適切なネットワークデバイスによって実施されることが可能であり、さらに基地局からダウンリンクＲＵＭを受信するためのモジュール２１０２と、ＲＵＭの中で指定された送信電力レベルを、ＲＵＭが受信された電力レベルと比較するためのモジュール２１０４と、この比較に基づいて、基地局にもたらされた干渉の量を計算するためのモジュール２１０６と、計算された干渉がしきい値以上である場合、ＲＵＭの中で指定されたリソースを確保するためのモジュール２１０８と、を含むことが可能である。
【００７６】
次に図２２を参照すると、ブロードキャストダウンリンクリソース調整メッセージングを処理するための装置２２００が示されている。装置２２００は、ノードＢ（例えば、基地局８１０および／または８２０）および／または別の適切なネットワークデバイスによって実施されることが可能であり、さらに端末からアクセス要求を受信するためのモジュール２２０２と、アクセス要求の中で指定された送信電力レベルを、アクセス要求の受信された電力レベルと比較するためのモジュール２２０４と、この比較に基づいて、端末にもたらされた干渉を計算するためのモジュール２２０６と、計算された干渉がしきい値を満たす、または超える場合、アクセス要求の中で指定されたリソースを取っておくためのモジュール２２０８と、を含むことが可能である。
【００７７】
図２３は、アップリンクリソース調整シグナリングを行うための装置２３００を示す。装置２３００は、基地局（例えば、ｅＮＢ９３０）および／または別の適切なネットワークデバイスによって実施されることが可能であり、さらにリソースインデックス情報および送信電力を識別するためのモジュール２３０２と、リソースインデックス情報および送信電力を指定するダウンリンクＲＵＭを、その識別された送信電力で送信するためのモジュール２３０４と、を含むことが可能である。
【００７８】
図２４を参照すると、本明細書の様々な態様に従って実施されることが可能である例示的なアクセス手順を示すタイミング図２４００が与えられている。一例において、タイミング図２４００によって示される手順は、アクセス手順を行うことを所望するＵＥおよびｅＮＢ、所望されるＵＥに干渉を生じさせる１つまたは複数のｅＮＢ、および所望されるｅＮＢに干渉を生じさせる１つまたは複数のＵＥによって実行されることが可能である。ダイアグラム２４００によって示される手順は、時刻２４０２に開始することが可能であり、アクセス手順を行うことを準備しているＵＥが、関連する通信システムにおける（例えば、そのようなシステムを介して）それぞれのｅＮＢを検出し、所望されるｅＮＢ、および干渉するｅＮＢを識別する。その後、所望されるＵＥが、時刻２４０４に、所望されるｅＮＢにアクセス要求をサブミットし、時刻２４０６に、ＵＥがアクセス許可の通知を受信すべきダウンリンクリソースを示すそれぞれのＲ−ＳＲＵＭを、干渉するｅＮＢに送信する。それぞれのＲ−ＳＲＵＭを受信すると、時刻２４０８に、干渉する１つまたは複数のｅＮＢは、Ｒ−ＳＲＵＭによって示されたＤＬリソースをクリアすることが可能である。
【００７９】
所望されるＵＥからのアクセス要求が、所望されるｅＮＢによって受信された後、所望されるｅＮＢは、時刻２４１０に、クリアされたダウンリンクリソース上でＲ−ＳＲＵＭによって所望されるＵＥにアクセス許可通知を送信すること、および所望されるＵＥが、このアクセス許可通知に応答するアップリンクリソースのセットを示すそれぞれのＦ−ＳＲＵＭを、干渉するＵＥにサブミットすることによって応答することが可能である。一例において、所望されるＵＥは、所望されるｅＮＢからアクセス許可が受信されるまで、時刻２４０４〜２４０６に示されるアクセス要求およびＲ−ＳＲＵＭの送信を繰り返すことが可能である。
【００８０】
時刻２４１２に所望されるｅＮＢからそれぞれのＦ−ＳＲＵＭを受信したことに応答して、それぞれの干渉するＵＥは、時刻２４１４に、それらのＦ−ＳＲＵＭの中で指定されたアップリンクリソースをクリアすることができる。最後に、時刻２４１６に、所望されるＵＥが、アクセス許可通知に対する応答を、時刻２４１４にクリアされたリソースを介して、所望されるｅＮＢに戻すようにサブミットすることが可能である。一例において、所望されるｅＮＢは、所望されるＵＥからアクセス許可通知への応答が受信されるまで、時刻２４１０〜２４１２に示されるアクセス許可およびＦ−ＳＲＵＭの送信を繰り返すことが可能である。
【００８１】
図２５を参照すると、例示的な無線通信システム２５００が示されている。一例において、開示される様々な実施形態および態様が実施されることが可能なシステム２５００が、多数のユーザをサポートするように構成されることが可能である。図２５に示される通り、例として、システム２５００は、複数のセル２５０２（例えば、マクロセル２５０２ａ〜２５０２ｇ）に関する通信を提供することが可能であり、それぞれのセルは、対応するＡＰ（アクセスポイント）２５０４（例えば、ＡＰ２５０４ａ〜２５０４ｇ）によるサービスを受ける。一例において、１つまたは複数のセルは、それぞれのセクタ（図示せず）にさらに分割されることが可能である。
【００８２】
図２５がさらに示す通り、ＡＴ２５０６ａ〜２５０６ｋを含む様々なＡＴ（アクセス端末）２５０６が、システム２５００全体に散らばっていることが可能である。一例において、ＡＴ２５０６が、そのＡＴがアクティブであるかどうか、およびそのＡＴがソフトハンドオフ状態および／または別の類似した状態にあるかどうかに依存して、所与の時点でＦＬ（順方向リンク）および／またはＲＬ（逆方向リンク）で１つまたは複数のＡＰ２５０４と通信することが可能である。本明細書で使用され、さらに当技術分野で一般に使用される通り、ＡＴ２５０６は、ＵＥ（ユーザ機器）、移動端末、および／または他の任意の適切な名称で呼ばれることも可能である。一態様によれば、システム２５００は、相当に大きい地理的領域にわたってサービスを提供することが可能である。例えば、マクロセル２５０２ａ〜２５０２ｇが、近隣における複数のブロック、および／または別の同様に適切なカバレッジエリアに関するカバレッジを提供することが可能である。
【００８３】
次に図２６を参照すると、本明細書で説明される様々な態様が機能することが可能である例示的な無線通信システム２６００を示すブロック図が示されている。一例において、システム２６００は、送信機システム２６１０と、受信機システム２６５０とを含むＭＩＭＯ（多入力多出力）システムである。しかし、送信機システム２６１０および／または受信機システム２６５０は、例えば、複数の送信アンテナ（例えば、基地局上の）が単一アンテナデバイス（例えば、移動局）に１つまたは複数のシンボルストリームを送信することが可能な、多入力単出力システムに適用されることも可能であることを認識されたい。さらに、本明細書で説明される送信機システム２６１０および／または受信機システム２６５０の態様は、単出力−単入力アンテナシステムに関連して利用されることも可能であることを認識されたい。
【００８４】
一態様によれば、いくつかのデータストリームに関するトラヒックデータが、送信機システム２６１０においてデータソース２６１２からＴＸ（送信）データプロセッサ２６１４に供給される。一例において、次に、各データストリームが、それぞれの送信アンテナ２６２４を介して送信されることが可能である。さらに、ＴＸデータプロセッサ２６１４が、符号化されたデータをもたらすために、各データストリームに関して選択された特定の符号化スキームに基づいて、各データストリームに関するトラヒックデータをフォーマットし、符号化し、インタリーブすることが可能である。一例において、次に、各データストリームに関する符号化されたデータが、ＯＦＤＭ技術を使用してパイロットデータと多重化されることが可能である。パイロットデータは、例えば、知られている仕方で処理される、知られているデータパターンであることが可能である。さらに、パイロットデータは、受信機システム２６５０においてチャネル応答を推定するのに使用されることが可能である。送信機システム２６１０に戻ると、各データストリームに関する多重化されたパイロットデータと符号化されたデータが、変調シンボルをもたらすために、各データストリームに関して選択された特定の変調スキーム（例えば、ＢＰＳＫ、ＱＳＰＫ、Ｍ−ＰＳＫ、またはＭ−ＱＡＭ）に基づいて変調される（すなわち、シンボルマップされる）ことが可能である。一例において、各データストリームに関するデータ転送速度、符号化、および変調は、プロセッサ２６３０上で実行される、またはプロセッサ２６３０によって与えられる命令によって決定されることが可能である。
【００８５】
次に、すべてのデータストリームに関する変調シンボルが、変調シンボル（例えば、ＯＦＤＭ）をさらに処理することが可能なＴＸプロセッサ２６２０に供給されることが可能である。次に、ＴＸ  ＭＩＭＯプロセッサ２６２０が、ＮＴ個の変調シンボルストリームをＮＴ個のトランシーバ２６２２ａないし２６２２ｔに供給することが可能である。一例において、各トランシーバ２６２２は、それぞれのシンボルストリームを受け取り、処理して、１つまたは複数のアナログ信号をもたらすことが可能である。次に、各トランシーバ２６２２は、それらのアナログ信号をさらに調整して（例えば、増幅し、フィルタリングし、アップコンバートして）、ＭＩＭＯチャネルを介して送信するのに適した、変調された信号をもたらすことが可能である。したがって、次に、トランシーバ２６２２ａないし２６２２ｔからのＮＴ個の変調された信号が、ＮＴ個のアンテナ２６２４ａないし２６２４ｔからそれぞれ送信されることが可能である。
【００８６】
別の態様によれば、送信された、変調された信号は、受信機システム２６５０においてＮＲ個のアンテナ２６５２ａないし２６５２ｒによって受信されることが可能である。次に、各アンテナ２６５２からの受信された信号が、それぞれのトランシーバ２６５４に供給されることが可能である。一例において、各トランシーバ２６５４は、受信されたそれぞれの信号を調整し（例えば、フィルタリングし、増幅し、ダウンコンバートし）、この調整された信号をディジタル化してサンプルをもたらし、次に、これらのサンプルを処理して、対応する「受信された」シンボルストリームをもたらすことが可能である。次に、ＲＸ  ＭＩＭＯ／データプロセッサ２６６０が、或る特定の受信機処理技術に基づいて、ＮＲ個のトランシーバ２６５４からのＮＲ個の受信されたシンボルストリームを受け取り、処理して、ＮＴ個の「検出された」シンボルストリームをもたらすことが可能である。一例において、検出された各シンボルストリームは、対応するデータストリームに関して送信された変調シンボルの推定であるシンボルを含むことが可能である。次に、ＲＸプロセッサ２６６０が、検出された各シンボルストリームを、少なくとも部分的に復調すること、ディインタリーブすること、および復号することによって処理して、対応するデータストリームに関するトラヒックデータを回復することが可能である。このため、ＲＸプロセッサ２６６０による処理は、送信機システム２６１０においてＴＸ  ＭＩＭＯプロセッサ２６２０およびＴＸデータプロセッサ２６１６によって実行される処理と相補的であることが可能である。ＲＸプロセッサ２６６０は、処理されたシンボルストリームをデータシンク２６６４にさらに供給することが可能である。
【００８７】
一態様によれば、ＲＸプロセッサ２６６０によって生成されたチャネル応答推定は、受信機において空間／時間処理を実行し、電力レベルを調整し、変調レートもしくは変調スキームを変更し、さらに／または他の適切なアクションを行うのに使用されることが可能である。さらに、ＲＸプロセッサ２６６０は、例えば、検出されたシンボルストリームのＳＮＲ（信号対雑音干渉比）などのチャネル特性をさらに推定することが可能である。次に、ＲＸプロセッサ２６６０は、推定されたチャネル特性をプロセッサ２６７０に供給することが可能である。一例において、ＲＸプロセッサ２６６０および／またはプロセッサ２６７０は、システムに関する「動作」ＳＮＲの推定をさらに導き出すことが可能である。その場合、プロセッサ２６７０は、通信リンクおよび／または受信されたデータストリームに関する情報を備えることが可能なＣＳＩ（チャネル状態情報）をもたらすことが可能である。この情報は、例えば、動作ＳＮＲを含むことが可能である。次に、このＣＳＩが、ＴＸデータデータプロセッサ２６１８によって処理され、変調器２６８０によって変調され、トランシーバ２６５４ａないし２６５４ｒによって調整され、さらに送信機システム２６１０に送り返されることが可能である。さらに、受信機システム２６５０におけるデータソース２６１６が、ＴＸデータプロセッサ２６１８によって処理されるべきさらなるデータを供給することが可能である。
【００８８】
送信機システム２６１０に戻ると、次に、受信機システム２６５０からの変調された信号が、アンテナ２６２４によって受信され、トランシーバ２６２２によって調整され、復調器２６４０によって復調され、ＲＸデータプロセッサ２６４２によって処理されて、受信機システム２６５０によって報告されたＣＳＩが回復されることが可能である。一例において、次に、報告されたＣＳＩは、プロセッサ２６３０に供給されて、１つまたは複数のデータストリームに関して使用されるべきデータ転送速度、ならびに符号化スキームおよび変調スキームを決定するのに使用されることが可能である。次に、決定された符号化スキームおよび変調スキームが、量子化のため、および／または受信機システム２６５０への後の送信の際に使用するためにトランシーバ２６２２に供給されることが可能である。さらに、かつ／または代替として、報告されたＣＳＩは、プロセッサ２６３０によって、ＴＸデータプロセッサ２６１４およびＴＸ  ＭＩＭＯプロセッサ２６２０のための様々な制御を生成するのに使用されることが可能である。別の例において、ＲＸデータプロセッサ２６４２によって処理されたＣＳＩおよび／または他の情報は、データシンク２６４４に供給されることが可能である。
【００８９】
一例において、送信機システム２６１０におけるプロセッサ２６３０、および受信機システム２６５０におけるプロセッサ２６７０が、それぞれのシステムにおける動作を導く。さらに、送信機システム２６１０におけるメモリ２６３２、および受信機システム２６５０におけるメモリ２６７２が、それぞれ、プロセッサ２６３０および２６７０によって使用されるプログラムコードおよびデータに関するストレージを提供することが可能である。さらに、受信機システム２６５０において、様々な処理技術が、ＮＲ個の受信された信号を処理して、ＮＴ個の送信されたシンボルストリームを検出するのに使用されることが可能である。これらの受信機処理技術には、等化技術とも呼ばれることが可能な空間受信機処理技術および時空間受信機処理技術、および／または「連続干渉除去」受信機処理技術もしくは「連続除去」受信機処理技術とも呼ばれることが可能な、「連続ゼロ化／等化および干渉除去」受信機処理技術が含まれることが可能である。
【００９０】
図２７は、ネットワーク環境内でアクセスポイント基地局を展開することを可能にする例示的な通信システム２７００を示す。図２７に示される通り、システム２７００は、例えば、ＨＮＢ（ホームノードＢユニット）２７１０などの複数のアクセスポイント基地局（例えば、フェムトセルまたはＨＮＢ）を含むことが可能である。一例において、それぞれのＨＮＢ２７１０は、例えば、１つまたは複数のユーザ住宅２７３０などの対応する小規模ネットワーク環境に設置されることが可能である。さらに、それぞれのＨＮＢ２７１０は、関連するＵＥ２７２０および／または外部のＵＥ２７２０にサービスを提供するように構成されることが可能である。一態様によれば、それぞれのＨＮＢ２７１０が、ＤＳＬルータ、ケーブルモデム、および／または別の適切なデバイス（図示せず）を介してインターネット２７４０および移動体事業者コアネットワーク２７５０に結合されることが可能である。一態様によれば、フェムトセルまたはＨＮＢ２７１０の所有者が、移動体事業者コアネットワーク２７５０を介して提供される、例えば、３Ｇ／４Ｇ移動体サービスなどの移動体サービスに加入することが可能である。したがって、ＵＥ２７２０は、マクロセルラ環境２７６０と住宅小規模ネットワーク環境の両方において動作することができるようにされることが可能である。
【００９１】
一例において、ＵＥ２７２０は、マクロセル移動体ネットワーク２７６０に加えて、フェムトセルまたはＨＮＢ２７１０（例えば、対応するユーザ住宅２７３０内に存在するＨＮＢ２７１０）のセットによるサービスも受けることが可能である。本明細書で使用され、さらに当技術分野で一般に使用される通りのホームフェムトセルは、ＡＴまたはＵＥが動作することを許可されている基地局であり、ゲストフェムトセルは、ＡＴまたはＵＥが動作することを一時的に許可されている基地局を指し、さらに外部フェムトセルは、ＡＴまたはＵＥが動作することを許可されていない基地局である。一態様によれば、フェムトセルまたはＨＮＢ２７１０は、それぞれのマクロセル周波数と重なることが可能な単一の周波数上、または複数の周波数上に展開されることが可能である。
【００９２】
本明細書で説明される態様は、ハードウェア、ソフトウェア、ファームウェア、ミドルウェア、マイクロコード、または以上の任意の組合せによって実施されることが可能であることを理解されたい。システムおよび／または方法が、ソフトウェア、ミドルウェアもしくはマイクロコード、プログラムコードもしくはコードセグメントで実施される場合、これらのシステムおよび／または方法は、ストレージコンポーネントなどのマシン可読媒体の中に格納されることが可能である。コードセグメントは、手順、機能、サブプログラム、プログラム、ルーチン、サブルーチン、モジュール、ソフトウェアパッケージ、クラス、あるいは命令、データ構造、またはプログラムステートメントの任意の組合せを表すことが可能である。コードセグメントは、情報、データ、引数、パラメータ、またはメモリ内容を送ること、および／または受け取ることによって、別のコードセグメント、またはハードウェア回路に結合されることが可能である。情報、引数、パラメータ、データなどは、メモリ共有、メッセージ受渡し、トークン受渡し、ネットワーク伝送などを含む任意の適切な手段を使用して送られる、転送される、または送信されることが可能である。
【００９３】
ソフトウェア実施形態の場合、本明細書で説明される技術は、本明細書で説明される機能を実行するモジュール（例えば、手順、機能など）を使用して実施されることが可能である。ソフトウェアコードは、メモリユニットの中に格納されて、プロセッサによって実行されることが可能である。メモリユニットは、プロセッサの内部に実装されることも、プロセッサの外部に実装されることも可能であり、プロセッサの外部に実装される場合、メモリユニットは、当技術分野で知られている様々な手段を介してプロセッサに通信するように結合されることが可能である。
【００９４】
以上に説明してきたことには、１つまたは複数の態様の実施例が含まれる。もちろん、前述した態様を説明する目的でコンポーネントまたは方法の考えられるすべての組合せを説明することは可能でないが、様々な態様のさらなる多数の組合せおよび置換が可能であることを、当業者は理解することができよう。したがって、説明される態様は、添付の特許請求の範囲の趣旨および範囲に含まれるすべてのそのような変更、変形、および変種を包含することを意図している。さらに、「含む」という用語が、詳細な説明または特許請求の範囲において使用される限りで、そのような用語は、請求項におけるつなぎの語として使用される際に解釈される場合の「備える」という用語と同様に包含的であることを意図している。さらに、詳細な説明または特許請求の範囲において使用される「または」という用語は、「非排他的なまたは」であることが意図されている。
なお、以下に、出願当初の特許請求の範囲に記載された発明を付記する。
［Ｃ１］
関連する通信システムによって利用される通信チャネルを識別することと、
通信リソースの所望されるセットおよび１つまたは複数のパラメータと関係する情報を含む干渉低減要求メッセージを構築することと、
前記通信チャネルを介して、１つまたは複数の端末に前記干渉低減要求を送信することと、
を備える方法。
［Ｃ２］
前記通信チャネルは、前記関連する通信システムの中のすべての基地局に共通である、
［Ｃ１］に記載の方法。
［Ｃ３］
前記通信チャネルは、プリアンブルチャネルである、
［Ｃ２］に記載の方法。
［Ｃ４］
前記プリアンブルチャネルは、ＬＲＰ（低再利用プリアンブル）チャネルである、
［Ｃ３］に記載の方法。
［Ｃ５］
前記プリアンブルチャネルは、システム情報ブロックまたはマスター情報ブロックである、
［Ｃ３］に記載の方法。
［Ｃ６］
前記構築は、プリアンブルメッセージのペイロードに干渉低減要求メッセージを埋め込むことを備える、
［Ｃ３］に記載の方法。
［Ｃ７］
前記送信することは、所望されるサービスを受ける端末と通信することに先立って、前記１つまたは複数の端末に前記干渉低減要求メッセージを送信することを備える、
［Ｃ１］に記載の方法。
［Ｃ８］
前記干渉低減要求メッセージの中に含まれる前記１つまたは複数の送信パラメータは、前記干渉低減要求メッセージが送信されるべき電力を備える、
［Ｃ１］に記載の方法。
［Ｃ９］
前記干渉低減要求メッセージは、Ｆ−ＳＲＵＭ（フォワードリンク特別リソース利用メッセージ）を備える、
［Ｃ１］に記載の方法。
［Ｃ１０］
前記通信リソースの所望されるセットは、周波数リソースブロックまたはサブバンドのセット、あるいは時刻の中のサブフレームのセットのうちの１つまたは複数を備える、
［Ｃ１］に記載の方法。
［Ｃ１１］
前記通信リソースの所望されるセットは、制御リソースのセットを備える、
［Ｃ１］に記載の方法。
［Ｃ１２］
前記制御リソースのセットは、ＰＵＣＣＨ（プライマリアップリンク制御チャネル）、ＳＲＳ（サウンディング基準信号）、ＰＲＡＣＨ（物理ランダムアクセスチャネル）のうちの１つまたは複数を含む、
［Ｃ１］に記載の方法。
［Ｃ１３］
前記通信リソースの所望されるセットは、データリソースのセットを備える、
［Ｃ１］に記載の方法。
［Ｃ１４］
前記データリソースのセットは、ＰＵＳＣＨ（プライマリアップリンク共有チャネル）を含む、
［Ｃ１３］に記載の方法。
［Ｃ１５］
前記送信することは、前記通信チャネルを介して１つまたは複数の端末にユニキャスト干渉低減要求メッセージを送信することを備える、
［Ｃ１］に記載の方法。
［Ｃ１６］
前記送信することは、前記通信チャネルを介して１つまたは複数の端末にブロードキャスト干渉低減要求メッセージを送信することを備える、
［Ｃ１］に記載の方法。
［Ｃ１７］
前記送信することは、Ｌ１（層１）シグナリングまたはＬ３（層３）シグナリングのうちの１つまたは複数を使用して、１つまたは複数の基地局に干渉低減要求メッセージを送信することを備える、
［Ｃ１］に記載の方法。
［Ｃ１８］
通信チャネルおよび通信リソースの利用されるべきセットと関係するデータを格納するメモリと、
前記通信リソースの利用されるべきセットと関係する情報を使用するリソース分割メッセージを構築し、前記通信チャネル上で前記リソース分割メッセージを送信するように構成されたプロセッサと、
を備える無線通信装置。
［Ｃ１９］
前記通信チャネルは、関連した通信システムの中のそれぞれのエンティティに共通である、
［Ｃ１８］に記載の無線通信装置。
［Ｃ２０］
前記通信チャネルは、プリアンブルチャネルである、
［Ｃ１９］に記載の無線通信装置。
［Ｃ２１］
前記プリアンブルチャネルは、ＬＲＰ（低再利用プリアンブル）チャネルである、
［Ｃ２０］に記載の無線通信装置。
［Ｃ２２］
前記プリアンブルチャネルは、システム情報ブロックあるいはマスター情報ブロックである、
［Ｃ２０］に記載の無線通信装置。
［Ｃ２３］
前記プロセッサは、プリアンブルメッセージのペイロードに前記リソース分割メッセージを含むようにさらに構成される、
［Ｃ２０］に記載の無線通信装置。
［Ｃ２４］
前記プロセッサは、前記無線通信装置にアクセスするＵＥ（ユーザ機器ユニット）と通信することに先立って、前記リソース分割メッセージを送信するようにさらに構成される、
［Ｃ１８］に記載の無線通信装置。
［Ｃ２５］
前記メモリは、送信電力設定と関係するデータをさらに格納し、前記プロセッサは、前記リソース分割メッセージに前記送信電力設定を埋め込み、前記送信電力設定によって特定された指定された送信電力レベルで前記リソース分割メッセージを送信するようにさらに構成される、
［Ｃ１８］に記載の無線通信装置。
［Ｃ２６］
前記通信リソースの利用されるべきセットは、周波数リソースブロックまたはサブバンドのセット、あるいは時刻の中のサブフレームのセットのうちの少なくとも１つを備える、
［Ｃ１８］に記載の無線通信装置。
［Ｃ２７］
前記通信リソースの利用されるべきセットは、制御リソースのセットを備える、
［Ｃ１８］に記載の無線通信装置。
［Ｃ２８］
前記制御リソースのセットは、ＰＵＣＣＨ（プライマリアップリンク制御チャネル）、ＳＲＳ（サウンディング基準信号）、ＰＲＡＣＨ（物理ランダムアクセスチャネル）のうちの１つまたは複数を含む、
［Ｃ２７］に記載の無線通信装置。
［Ｃ２９］
前記通信リソースの利用されるべきセットは、データリソースのセットを備える、
［Ｃ１８］に記載の無線通信装置。
［Ｃ３０］
前記データリソースのセットは、ＰＵＳＣＨ（プライマリアップリンク共有チャネル）を含む、
［Ｃ２９］に記載の無線通信装置。
［Ｃ３１］
前記プロセッサは、前記通信チャネル上でユニキャストリソース分割メッセージを送信するようにさらに構成される、
［Ｃ１８］に記載の無線通信装置。
［Ｃ３２］
前記プロセッサは、前記通信チャネル上でブロードキャストリソース分割メッセージを送信するようにさらに構成される、
［Ｃ１８］に記載の無線通信装置。
［Ｃ３３］
前記プロセッサは、Ｌ１（層１）シグナリングまたはＬ３（層３）シグナリングのうちの１つまたは複数を使用して、リソース分割メッセージを送信するようにさらに構成される、
を備える［Ｃ１８］に記載の無線通信装置。
［Ｃ３４］
前記装置が妨害を受けるリソースのセットと関係するインデックス情報を識別するための手段と、
前記リソースインデックス情報を指定するＦ−ＳＲＵＭ（フォワードリンク特別リソース利用メッセージ）を生成するための手段と、
所定の通信チャネルを介して前記Ｆ−ＳＲＵＭを送信するための手段と、
を備える装置。
［Ｃ３５］
プリアンブルメッセージに前記Ｆ−ＳＲＵＭＵを埋め込むための手段をさらに備え、前記送信するための手段は、プリアンブルチャネル上で前記プリアンブルメッセージを送信するための手段を備える、
［Ｃ３４］に記載の装置。
［Ｃ３６］
前記プリアンブルチャネルは、１つまたは複数のＬＲＰ（低再利用プリアンブル）チャネル、システム情報ブロック、あるいはマスター情報ブロックである、
［Ｃ３４］に記載の装置。
［Ｃ３７］
前記送信するための手段は、前記装置とアクセスするＵＥ（ユーザ機器ユニット）と通信することに先立って、前記Ｆ−ＳＲＵＭを送信するための手段を備える、
［Ｃ３４］に記載の装置。
［Ｃ３８］
送信電力を選択するための手段をさらに備え、
前記生成するための手段は、前記Ｆ−ＳＲＵＭの中に前記送信電力と関係する情報を埋め込むための手段を備え、前記送信するための手段は、前記選択された送信電力で前記Ｆ−ＳＲＵＭを送信するための手段を備える、
［Ｃ３４］に記載の装置。
［Ｃ３９］
前記装置が妨害を受ける前記リソースのセットは、周波数リソースブロックまたはサブバンドのセット、あるいは時刻の中のサブフレームのセットのうちの少なくとも１つを備える、
［Ｃ３４］に記載の装置。
［Ｃ４０］
前記装置が妨害を受ける前記リソースのセットは、制御リソースのセットを備え、前記制御リソースのセットは、ＰＵＣＣＨ（プライマリアップリンク制御チャネル）、ＳＲＳ（サウンディング基準信号）、ＰＲＡＣＨ（物理ランダムアクセスチャネル）のうちの少なくとも１つを備える、
［Ｃ３４］に記載の装置。
［Ｃ４１］
前記装置が妨害を受ける前記リソースのセットは、データリソースのセットを備え、前記データリソースのセットは、ＰＵＳＣＨ（プライマリアップリンク共有チャネル）を備える、
［Ｃ３４］に記載の装置。
［Ｃ４２］
前記送信するための手段は、ユニキャスト送信およびブロードキャスト送信から成るグループから選択された送信の中で前記Ｆ−ＳＲＵＭを送信するための手段を備える、
［Ｃ３４］に記載の装置。
［Ｃ４３］
前記送信するための手段は、Ｌ１（層１）シグナリングまたはＬ３（層３）シグナリングのうちの少なくとも１つを使用して、前記Ｆ−ＳＲＵＭを送信するための手段を備える、
［Ｃ３４］に記載の装置。
［Ｃ４４］
コンピュータに、通信チャネル、妨害が観測されたリソースのセット、送信パラメータのセットを識別させるためのコードと、
コンピュータに、前記識別されたリソースおよび前記送信パラメータのセットを指定する干渉低減メッセージを構築させるためのコードと、
コンピュータに、前記識別された通信チャネルを介して前記干渉低減メッセージを送信させるためのコードと、
を備えるコンピュータ可読媒体を備える、
コンピュータプログラム製品。
［Ｃ４５］
前記送信パラメータのセットは、前記ブロードキャストメッセージが送信されるべき送信電力を含む、
［Ｃ４４］に記載のコンピュータプログラム製品。
［Ｃ４６］
前記識別された通信チャネルは、プリアンブルチャネルである、
［Ｃ４４］に記載のコンピュータプログラム製品。
［Ｃ４７］
前記プリアンブルチャネルは、ＬＲＰ（低再利用プリアンブル）、システム情報ブロック、マスター情報ブロックから成るグループから選択されたチャネルである、
［Ｃ４６］に記載のコンピュータプログラム製品。
［Ｃ４８］
コンピュータに送信させるための前記コードは、サービスを受けるＵＥ（ユーザ機器ユニット）と通信することに先立って、コンピュータに、前記干渉低減メッセージを送信させるためのコードを備える、
［Ｃ４４］に記載のコンピュータプログラム製品。
［Ｃ４９］
妨害が観測された前記リソースのセットは、周波数リソースブロックまたはサブバンドのセット、あるいは時刻の中のサブフレームのセットのうちの少なくとも１つを備える、
［Ｃ４４］に記載のコンピュータプログラム製品。
［Ｃ５０］
妨害が観測された前記リソースのセットは、制御リソースのセットを備え、前記制御リソースのセットは、ＰＵＣＣＨ（プライマリアップリンク制御チャネル）、ＳＲＳ（サウンディング基準信号）、ＰＲＡＣＨ（物理ランダムアクセスチャネル）のうちの少なくとも１つを備える、
［Ｃ４４］に記載のコンピュータプログラム製品。
［Ｃ５１］
妨害が観測された前記リソースのセットは、データリソースのセットを備え、前記データリソースのセットは、ＰＵＳＣＨ（プライマリアップリンク共有チャネル）を含む、
［Ｃ４４］に記載のコンピュータプログラム製品。
［Ｃ５２］
コンピュータに送信させるための前記コードは、コンピュータに、ユニキャスト送信、ブロードキャスト送信から成るグループから選択された送信の中で前記干渉低減メッセージを送信させるためのコードを備える、
［Ｃ４４］に記載のコンピュータプログラム製品。
［Ｃ５３］
コンピュータに送信させるための前記コードは、コンピュータに、Ｌ１（層１）シグナリングまたはＬ３（層３）シグナリングのうちの少なくとも１つを使用して前記干渉低減メッセージを送信させるためのコードを備える、
［Ｃ４４］に記載のコンピュータプログラム製品。
［Ｃ５４］
基地局から干渉低減要求を受信することと、
アップリンク通信リソースおよび送信パラメータのセットを識別することと、
前記基地局にもたらされた干渉の量を計算することと、
前記基地局によってもたらされた干渉の量が所定のしきい値を超えたと判断すると、前記アップリンク通信リソースのセットを確保することと、
を備える方法。
［Ｃ５５］
前記識別することは、前記干渉低減要求の中で与えられた情報に基づいて前記送信パラメータのセットを識別することを備え、
前記計算することは、前記送信パラメータのセットに少なくとも部分的に基づいて干渉の量を計算することを備える、
［Ｃ５４］に記載の方法。
［Ｃ５６］
前記干渉低減要求の中で与えられた前記送信パラメータのセットは、前記干渉低減要求の送信のために使用された送信電力レベルを備える、
［Ｃ５４］に記載の方法。
［Ｃ５７］
前記計算することは、
前記干渉低減要求が受信された電力レベルを測定することと、
前記基地局と関連するパスロスを計算するために、前記測定された電力レベルを、前記干渉低減要求の中で与えられた前記送信電力レベルと比較することと、
前記比較に基づいて、前記基地局にもたらされた干渉の量を計算することと、
を備える［Ｃ５６］に記載の方法。
［Ｃ５８］
前記受信することは、プリアンブルチャネルを介して前記干渉低減要求を含むプリアンブルメッセージを受信することを備える、
［Ｃ５４］に記載の方法。
［Ｃ５９］
前記プリアンブルチャネルは、ＬＲＰ（低再利用プリアンブル）チャネル、システム情報ブロック、あるいはマスター情報ブロックである、
［Ｃ５８］に記載の方法。
［Ｃ６０］
ｅＮＢ（進化型ノードＢ）と関係するデータと、前記ｅＮＢから受信されたリソース利用メッセージを格納するメモリと、
アップリンク通信リソースのセットおよび送信パラメータのセットを識別し、前記無線通信装置が前記ｅＮＢに被らせている干渉の量を計算し、干渉の前記計算された量がしきい値以上であると判定すると、前記アップリンク通信リソースのセットを取っておくように構成されたプロセッサと、
を備える無線通信装置。
［Ｃ６１］
前記プロセッサは、前記リソース利用メッセージの中で与えられた情報に基づいて前記送信パラメータのセットを識別し、前記送信パラメータのセットに少なくとも部分的に基づいて、前記無線通信装置が前記ｅＮＢに被らせている前記干渉の量を計算するようにさらに構成される、
［Ｃ６０］に記載の無線通信装置。
［Ｃ６２］
前記送信パラメータのセットは、前記リソース利用メッセージの送信のために前記ｅＮＢによって使用された送信電力レベルを備え、
前記プロセッサは、前記リソース利用メッセージが受信された受信電力レベルを識別し、前記リソース利用メッセージの中で与えられた情報に基づいて前記送信電力レベルを識別し、前記識別された受信電力レベルを、前記指定された送信電力レベルと比較し、前記比較に基づいて、前記ｅＮＢにもたらされた干渉の前記量を計算するようにさらに構成される、
［Ｃ６０］に記載の無線通信装置。
［Ｃ６３］
前記プロセッサは、プリアンブルチャネルを介してプリアンブルメッセージの少なくとも一部としてリソース利用メッセージを受信するように構成される、
［Ｃ６０］に記載の無線通信装置。
［Ｃ６４］
前記プリアンブルチャネルは、ＬＲＰ（低再利用プリアンブル）チャネル、システム情報ブロック、およびマスター情報ブロックから成るグループから選択されたチャネルである、
［Ｃ６３］に記載の無線通信装置。
［Ｃ６５］
アップリンクリソースのセットを指定する基地局からＦ−ＳＲＵＭ（フォワードリンク特別リソース利用メッセージ）を受信するための手段と、
前記基地局にもたらされた干渉の量を計算するための手段と、
前記計算された干渉がしきい値以上である場合、前記Ｆ−ＳＲＵＭの中の指定された前記アップリンクリソースのセットを受信するための手段と、
を備える装置。
［Ｃ６６］
前記Ｆ−ＳＲＵＭの中の指定された情報に基づいて送信電力レベルを判定するための手段をさらに備え、
前記計算するための手段は、
前記判定された送信電力レベルを、前記Ｆ−ＳＲＵＭが受信された電力レベルと比較するための手段と、
前記比較に少なくとも部分的に基づいて前記基地局にもたらされた干渉の量を計算するための手段と、
を備える［Ｃ６５］に記載の装置。
［Ｃ６７］
前記Ｆ−ＳＲＵＭは、ＬＲＰ（低再利用プリアンブル）チャネル、システム情報ブロック、およびマスター情報ブロックから成るグループから選択されたチャネルである、
［Ｃ６５］に記載の装置。
［Ｃ６８］
コンピュータに、ノードＢおよび前記ノードＢから受信されたリソース分割メッセージを識別させるためのコードと、
コンピュータに、前記リソース分割メッセージからアップリンクリソースの所望のセットと関係する情報を抽出させるためのコードと、
コンピュータに、前記ＵＥにもたらされた干渉の量を算出させるためのコードと、
前記干渉の算出された量が、干渉のあらかじめ定義された容認できる量以上であると判定すると、コンピュータに、前記リソース分割メッセージの中で指定された前記アップリンクリソースの所望されるセットを取っておくようにさせるためのコードと、
を備えるコンピュータ可読媒体を備えるコンピュータプログラム製品。
［Ｃ６９］
コンピュータに、前記リソース分割メッセージから送信電力レベルと関係する情報を抽出させるためのコードをさらに備え、
コンピュータに前記算出させるためのコードは、
コンピュータに、前記抽出された送信電力レベルを、前記リソース分割メッセージが受信された電力レベル比較させるためのコードと、
コンピュータに、前記比較に少なくとも部分的に基づいて前記ノードＢにもたらされた干渉の量を計算させるためのコードと、
を備える［Ｃ６８］に記載のコンピュータプログラム製品。
［Ｃ７０］
前記リソース分割メッセージは、ＬＲＰ（低再利用プリアンブル）チャネル、システム情報ブロック、およびマスター情報ブロックから成るグループから選択されたチャネルである、
［Ｃ６５］に記載のコンピュータプログラム製品。
【図１】
0005639214.tif 000002
【図２】
0005639214.tif 000003
【図３】
0005639214.tif 000004
【図４】
0005639214.tif 000005
【図５】
0005639214.tif 000006
【図６】
0005639214.tif 000007
【図７】
0005639214.tif 000008
【図８】
0005639214.tif 000009
【図９】
0005639214.tif 000010
【図１０】
0005639214.tif 000011
【図１１】
0005639214.tif 000012
【図１２】
0005639214.tif 000013
【図１３】
0005639214.tif 000014
【図１４】
0005639214.tif 000015
【図１５】
0005639214.tif 000016
【図１６】
0005639214.tif 000017
【図１７】
0005639214.tif 000018
【図１８】
0005639214.tif 000019
【図１９】
0005639214.tif 000020
【図２０】
0005639214.tif 000021
【図２１】
0005639214.tif 000022
【図２２】
0005639214.tif 000023
【図２３】
0005639214.tif 000024
【図２４】
0005639214.tif 000025
【図２５】
0005639214.tif 000026
【図２６】
0005639214.tif 000027
【図２７】
0005639214.tif 000028